(57)【特許請求の範囲】
【請求項１】
ａ）第１の電力コネクタ（５２，５２Ａ，５２Ｂ，５２Ｒ）、
ｂ）第２の電力コネクタ（５２，５２Ａ，５２Ｂ，５２Ｒ）、
ｃ）機械的に再構成可能であり、第１の位置および第２の位置の間で移動可能な１つ以上のブレード電極（２６）、
ｄ）第１の動作アーム（６）および第２の動作アーム（６）、
を具備するハンドピース（１２０）と、
第１のスイッチ状態（３１０）および第２のスイッチ状態（３１２）を選択するための起動ボタンを有する起動回路（３００）と、
を含む電気手術システムであって、
前記第１のスイッチ状態（３１０）にある前記起動回路（３００）は、第１の電気手術治療信号および第２の電気手術治療信号が前記ハンドピース（１２０）を出ることを可能にせず、
前記１つ以上のブレード電極は、前記第２の電力コネクタと接続する位置と開位置との間で移動可能なスイッチ（６０）と、を含み、
前記第２の位置に位置する前記１つ以上のブレード電極は、前記第２の電力コネクタに電気的に接続され、
前記起動回路（３００）が前記第２のスイッチ状態（３１２）にありかつ前記１つ以上のブレード電極が前記第１の位置にある場合、第１の治療電流が前記第１の電力コネクタ（５２，５２Ａ，５２Ｂ，５２Ｒ）と前記第２の電力コネクタ（５２，５２Ａ，５２Ｂ，５２Ｒ）との間に流れるように、前記起動回路（３００）は、前記第１の電気手術治療信号が前記ハンドピース（１２０）を出ることを可能にし、
前記起動回路（３００）が前記第２のスイッチ状態（３１２）にありかつ前記１つ以上のブレード電極が前記第２の位置にある場合、第２の治療電流が前記第１の電力コネクタ（５２，５２Ａ，５２Ｂ，５２Ｒ）と前記第２の電力コネクタ（５２，５２Ａ，５２Ｂ，５２Ｒ）との間に流れるように、前記起動回路（３００）は、前記第２の電気手術治療信号が前記ハンドピース（１２０）を出ることを可能にし、
前記第１の位置に位置する前記ブレード電極（２６）は、前記第１の動作アーム（６）および前記第２の動作アーム（６）の遠位端より近位側に格納され、
前記第２の位置に位置する前記ブレード電極（２６）の遠位端は、前記第１の動作アーム（６）および前記第２の動作アーム（６）の遠位端と同じ、または、より遠位側に進出しており、
前記第１の電気手術治療信号は前記第１の動作アーム（６）および前記第２の動作アーム（６）の間を流れる双極エネルギーであり、
前記第２の電気手術治療信号は、前記ブレード電極（２６）から流れる単極エネルギーである、
ことを特徴とする電気手術システム。
【請求項２】
請求項１に記載の電気手術システムであって、前記ハンドピース（１２０）は、前記第１の電気手術治療電流および前記第２の電気手術治療電流を生成することができるジェネレータ（８）に電気的に接続されていることを特徴とする電気手術システム。
【請求項３】
請求項１に記載の電気手術システムであって、当該電気手術システムは、さらに、接地パッドを有し、前記起動回路（３００）が前記第２のスイッチ状態（３１２）にありかつ前記１つ以上のブレード電極（２６）が前記第２の位置にある場合、前記１つ以上のブレード電極は前記第２の電力コネクタに電気的に接続されており、前記接地パッド（６６）は前記第１の電力コネクタに電気的に接続されていることを特徴とする電気手術システム。
【請求項４】
請求項１から３のいずれかに記載の電気手術システムであって、前記１つ以上のブレード電極が前記第２の位置にある場合、前記第１の動作アームおよび前記第２の動作アームの両方は前記第１の電力コネクタに電気的に接続されていることを特徴とする電気手術システム。
【請求項５】
請求項４に記載の電気手術システムであって、前記１つ以上のブレード電極の１つが前記第２の位置にある場合、電力が前記１つ以上のブレード電極から前記第１の動作アーム（６）および前記第２の動作アーム（６）へ流れることを特徴とする電気手術システム。
【請求項６】
請求項１から３のいずれかに記載の電気手術システムであって、前記１つ以上のブレード電極が前記第１の位置にある場合、前記第１の動作アームは前記第１の電力コネクタに接続されており、前記第２の動作アームは前記第２の電力コネクタに接続されており、前記１つ以上のブレード電極の前記スイッチ（６０）は前記開位置（６２）にあり、前記１つ以上のブレード電極が前記第２の位置にある場合、前記１つ以上のブレード電極は前記第２の電力コネクタに接続されており、前記第１の動作アームは前記第１の電力コネクタに接続されており、前記第２の動作アームは開位置（６２）にあることを特徴とする電気手術システム。
【請求項７】
請求項６に記載の電気手術システムであって、前記起動回路（３００）は１つの起動ボタン（３０２）と１つのセレクタ（３０８）とを含むことを特徴とする電気手術システム。
【請求項８】
請求項１から７のいずれか１項に記載の電気手術システムであって、
前記第１の位置と前記第２の位置との間での前記１つ以上のブレード電極の機械的な再構成は、前記起動回路を前記第１の電気手術治療電流の印加と前記第２の電気手術治療電流との間で切り替えさせる、ことを特徴とする電気手術システム。
【発明の詳細な説明】
【技術分野】
【０００１】
本教示は、全般的に、外科的手技の間に単極電力および双極電力の両方を供給する電気手術デバイスに関し、具体的には、機械的に再構成されてかつ／または電子的に再構成されて、直視下手術中に単極電力および双極電力の両方を供給することができる電気鉗子に関する。
【背景技術】
【０００２】
通常、電気手術デバイスは単極能力と双極能力のいずれか一方のみを有する。したがって、外科医は、手技が始まる前に、単極能力を備えたデバイスまたは双極能力を備えたデバイスのどちらかを選択することができ、外科医は、単極電力または双極電力のどちらかを印加するデバイスを使用することが可能である。例えば、外科医が単極デバイスを選択しかつ単極電力がその外科的手技に望ましくない場合、外科医は、単極電力を供給するデバイスを使用して手技を実施してもよく、または双極能力を備えたデバイスに切り替えてもよい。これらデバイスの両方が使用されて手技を実施してもよいが、デバイス間での切替えおよび／または異なる目的により適したデバイスを使用することは、手技の流れを妨げ、手技において不要な遅延を引き起こす可能性があり、いくつかの場合には、最適でないエネルギー源が使用される結果になる可能性がある。
【０００３】
一般に、電気手術デバイスは、治療電流が生成されるように、治療信号を生成しかつ電気手術デバイスに電力を供給するジェネレータに接続されている。しかし、使用され得る治療電流はジェネレータにより制限され、したがって、ジェネレータが単一の治療電流を生成することしかできない場合、電気手術デバイスにより１つの治療電流のみが印加され得る。さらに、ジェネレータが２つの治療回路を生成することができる可能性があるが、電気手術デバイスは、単一の治療電流を制御し、印加することができるだけである。このように、電気手術デバイスは単一の治療電流を印加し得るだけである。単一のデバイス内に単極能力および双極能力の両方を具備するデバイスを作り出すいくつかの試みがなされてきた。
【０００４】
いくつかの電気手術器具の例が、その全てを本願に引用して援用する、米国特許第６，１１０，１７１号、同第６，１１３，５９６号、同第６，１９０，３８６号、同第６，３５８，２６８号、および同第７，２３２，４４０号、ならびに米国特許出願公開第２００５／０１１３８２７号、同第２００５／０１８７５１２号、同第２００６／００８４９７３号、および同第２０１２／０１２３４０５号に認められる可能性がある。使用者が手技の流れを中断する必要なく所望の仕事を容易に実施することができるように、片手で単極構成と双極構成との間でスイッチングされ得る電気手術デバイスを有することは魅力的であると考えられる。直視下手術において鉗子として使用され得るかつ電気的切開および／または止血に使用され得る電気手術デバイスを有することは魅力的であると考えられる。必要とされるものは、単極能力および双極能力の両方を備えた電気手術デバイスであって、単極能力は双極デバイスとしての使用中に動作を停止され、鉗子は単極デバイスとしての使用中に固定化される、電気手術デバイスである。必要とされるものは、電気手術デバイスに信号（すなわちジェネレータモード）を供給するジェネレータより多い治療電流を生成する電気手術デバイスである。必要とされるものは、電気手術デバイスがより少ない起動ボタンを有し、したがってジェネレータが供給する信号（すなわちジェネレータモード）がさらに電気的に再構成されてジェネレータからの信号の全てを印加することができるように、電気的に再構成可能な電気手術デバイスである。
【先行技術文献】
【特許文献】
【０００５】
【特許文献１】米国特許第６１１０１７１号明細書
【特許文献２】米国特許第６１１３５９６号明細書
【特許文献３】米国特許第６１９０３８６号明細書
【特許文献４】米国特許第６３５８２６８号明細書
【特許文献５】米国特許第７２３２４４０号明細書
【特許文献６】米国特許出願公開第２００５／０１１３８２７号明細書
【特許文献７】米国特許出願公開第２００５／０１８７５１２号明細書
【特許文献８】米国特許出願公開第２００６／００８４９７３号明細書
【特許文献９】米国特許出願公開第２０１２／０１２３４０５号明細書
【発明の概要】
【課題を解決するための手段】
【０００６】
本教示は、（ａ）（ｉ）第１の動作アームおよび（ｉｉ）第２の動作アームを具備する鉗子と、（ｂ）ブレード電極とを含む電気手術デバイスであって、当該電気手術デバイスは、電気手術デバイスが第１の動作アーム、第２の動作アーム、または両方を通して第１の治療電流を送る第１の電気的構成と、電気手術デバイスがブレード電極を通して第２の治療電流を送る第２の電気的構成との間でスイッチングされることが可能であり、鉗子の第１の動作アームおよび第２の動作アームは、鉗子および第１の治療電流の両方が無効にされるように、第２の電気的構成において固定化される、電気手術デバイスを提供することにより、本ニーズの１つ以上を満たす。
【０００７】
本教示の別の可能性がある実施形態は、（ａ）第１の動作アーム、（ｂ）第２の動作アーム、および（ｃ）ブレード電極を具備するハンドピースと、第１のスイッチ状態および第２のスイッチ状態を有する起動回路とを含む電気手術システムであって、起動回路が第２のスイッチ状態にありかつハンドピースが第１の位置にある場合に第１の動作アームと第２の動作アームとの間に治療電流が伝導され、起動回路が第２のスイッチ状態にありかつハンドピースが第２の位置にある場合にブレード電極、第１の動作アーム、第２の動作アームのいずれかまたはこれらのうちのいくつかと隣接したハンドピース構成要素との間に治療電流が伝導され、起動回路が第１のスイッチ状態にある場合に治療電流は伝導されない、電気手術システムを含む。
【０００８】
本教示のさらに別の可能性がある実施形態は、（ａ）第１の電源コネクタ、（ｂ）第２の電源コネクタ、ならびに（ｃ）第１の位置および第２の位置を有する１つ以上の可動部材を具備するハンドピースと、第１のスイッチ状態および第２のスイッチ状態を有する起動回路とを含む電気手術システムであって、第１のスイッチ状態にある起動回路は、第１の電気手術治療信号または第２の電気手術治療信号のどちらかがハンドピースを出ることを可能にせず、起動回路が第２の状態にありかつ１つ以上の可動部材が第１の位置にある場合、第１の治療電流が第１の電源コネクタと第２の電源コネクタとの間に流れるように、起動回路は第１の電気手術治療信号がハンドピースを出ることを可能にし、起動回路が第２状態にありかつ１つ以上の可動部材が第２の位置にある場合、第２の治療電流が第１の電源コネクタと第２の電源コネクタとの間に流れるように、起動回路は第２の電気手術治療信号がハンドピースを出ることを可能にする、電気手術システムを提供する。
【０００９】
本教示の別の可能性がある実施形態は、（ａ）ハンドピースと、（ｂ）（ｉ）第１のアームおよび（ｉｉ）第２のアームを具備する鉗子と、（ｃ）ブレードと、を含む手術デバイスであって、手術デバイスは、第１のアームおよび第２のアームが鉗子として構成されているように第１の構成と、鉗子が固定化されておりかつブレードが第１のアームの遠位端および第２のアームの遠位端を越えて延出しているので延長可能なブレードはメスとして構成されているように第２の構成との間で変更可能である、手術デバイスを提供する。
【００１０】
本明細書における教示は、（ａ）（ｉ）第１の動作アームおよび（ｉｉ）第２の動作アームを具備する鉗子と、（ｂ）第１の位置と第２の位置との間で可動であるブレード電極とを含む電気手術デバイスであって、当該電気手術デバイスは、電気手術デバイスが第１の動作アーム、第２の動作アーム、または両方を通して第１の治療電流を送るように第１の電気的構成と、電気手術デバイスがブレード電極を通して第２の治療電流を送るように第２の電気的構成との間でスイッチングされることが可能であり、ブレード電極は、第１の位置と第２の位置との間でブレード電極を移動させるスライダを具備する、電気手術デバイスを提供する。
【００１１】
本明細書における教示は、（ｉ）第１の動作アームおよび（ｉｉ）第２の動作アームを具備するハンドピースを含む電気手術デバイスであって、ハンドピースは、第１の動作アームを第２の動作アームに固定する可動ハウジングにより覆われており、２つのアームが共に固定されている近位端が、アームが閉じられると空洞部を作り出す陥凹横断面を形成しており、ハンドピースは開位置と閉位置との間で可動である鉗子として構成されている、電気手術デバイスを提供する。
【００１２】
本明細書における教示は、第１の位置と第２の位置との間で可動であるブレード電極を含む電気手術デバイスであって、電気手術デバイスは、電気手術デバイスがブレード電極を通して治療電流を送るように第１の構成と第２の構成との間でスイッチングされることが可能であり、ブレード電極が第２の位置にある場合にばねピンを通してブレード電極に電力が供給されるように、電気手術デバイスは延在しておりブレード電極と接触するばねピンを具備する、電気手術デバイスを提供する。
【００１３】
本明細書における教示は、使用者が手技の流れを中断する必要なく所望の仕事を容易に実施することができるように、片手で単極構成と双極構成との間でスイッチングされ得る電気手術デバイスを提供する。本明細書における教示は、観血手術において鉗子として使用され得る、かつ電気的切開および／または止血に使用され得る、電気手術デバイスを提供する。本明細書における教示は、単極能力および双極能力の両方を備えた電気手術デバイスであって、単極能力は双極デバイスとしての使用中に動作を停止され、鉗子は単極デバイスとしての使用中に固定化される、電気手術デバイスを提供する。本明細書における教示は、電気手術デバイスに信号（すなわちジェネレータモード）を供給するジェネレータより多い治療電流を生成する電気手術デバイスを提供する。本明細書における教示は、電気手術デバイスがより少ない起動ボタンを有し、したがってジェネレータが供給する信号（すなわちジェネレータモード）がさらに電気的に再構成されてジェネレータからの信号の全てを印加することができるように、電気的に再構成可能な電気手術デバイスを提供する。
【図面の簡単な説明】
【００１４】
【図１】双極構成にある電気手術デバイスの図である。
【図２Ａ】単極構成にある図１の電気手術デバイスの図である。
【図２Ｂ】動作アーム間で不動化されているブレード電極の拡大図である。
【図２Ｃ】図２Ａの電気手術デバイスの横断面図である。
【図２Ｄ１】ブレード電極が延長されている場合の図２Ｃのばねピンの拡大図である。
【図２Ｄ２】ブレード電極が格納されている場合のばねピンの拡大図図である。
【図３Ａ】図１の電気手術デバイスの分解図である。
【図３Ｂ】図３Ａのばねピンの拡大図である。
【図４】双極構成にある電気手術デバイスの例の斜視図である。
【図５】双極構成にある図４の電気手術デバイスの底面図である。
【図６】電気手術デバイスの上面図である。
【図７】図６の電気手術デバイスの構成底面図である。
【図８】シャトルおよびブレード電極の底面斜視図である。
【図９】電気手術デバイスのスライダ組立体の例の図である。
【図１０】単極構成にある電気手術デバイスの別の考えられる構成の図である。
【図１１】単極構成にある図１０の電気手術デバイスの例の図である。
【図１２】単極構成にあると同時に、動作アームから延出しているブレード電極を備えた電気手術デバイスの図である。
【図１３】双極構成にある図１２の電気手術デバイスの図である。
【図１４】ブレード電極のためのチャネルを備えた動作アームの例の端面図である。
【図１５】中実動作アームの例の端面図である。
【図１６】左右切開のために回転したブレード電極の図である。
【図１７】上下切開のために回転したブレード電極の図である。
【図１８Ａ】組織を把持している動作アームの横断面図である。
【図１８Ｂ】動作アーム間に通っている電力を有する双極構成にある電気手術デバイスの図である。
【図１９Ａ】単極電極と組織との間に通っている電力の平面図である。
【図１９Ｂ】単極電極と接地パッドとの間に通っている電力を有する単極構成にある電気手術デバイスの図である。
【図２０Ａ１】スイッチと動作アーム間に通っている電力とを有する双極構成の概略図である。
【図２０Ａ２】中央処理装置と動作アーム間に通っている電力とを有する双極構成の概略図である。
【図２０Ａ３】双極構成の概略図である。
【図２０Ｂ】ブレード電極と動作アームとの間に通っている電力を有する電気手術デバイスの概略図である。
【図２０Ｃ】ブレード電極の周囲に動作アームから流れる電力を有する、単極構成にある電気手術デバイスの概略図である。
【図２０Ｄ】電気手術デバイスを含む概略図である。
【図２１】本明細書における教示の電気手術デバイスをジェネレータに接続する、考えられる１つの構成の図である。
【図２２Ａ】双極構成にある動作アームを有する制御回路図の例の図である。
【図２２Ｂ】単極構成にある動作アームを有する制御回路図の例の図である。
【図２２Ｃ】単極構成の制御回路図の例の図である。
【図２３Ａ】１つの可能性がある双極構成の回路図である。
【図２３Ｂ】１つの可能性がある単極構成の回路図である。
【図２３Ｃ】単極構成にある電気手術デバイスを有する別の回路図の例の図である。
【図２４Ａ】オフ位置にある電気手術デバイスとスイッチを含むブレード電極との回路図である。
【図２４Ｂ】スイッチを含むブレード電極を備えた、双極構成にある電気手術デバイスの回路図である。
【図２４Ｃ】スイッチを含むブレード電極を備えた、単極構成にある電気手術デバイスの回路図である。
【図２５Ａ】ブレード電極にスイッチがない、オフ位置にある電気手術デバイスの回路図である。
【図２５Ｂ】スイッチがないブレード電極を備えた、双極構成にある電気手術デバイスの回路図である。
【図２５Ｃ】ブレード電極にスイッチがない、単極構成にある電気手術デバイスの回路図である。
【図２６Ａ】オフ位置にある電気手術デバイスの回路図であり、電気手術デバイスが接地パッドを含む、図である。
【図２６Ｂ】接地パッドがオフ状態にある、双極構成にある電気手術デバイスの回路図である。
【図２６Ｃ】接地パッドがオン状態にある、単極構成にある電気手術デバイスの回路図である。
【図２７Ａ】起動回路がオフ位置にある、起動回路を含む電気手術デバイスの例の図である。
【図２７Ｂ】双極構成にある電気手術デバイスの例の図である。
【図２７Ｃ】単極構成にある電気手術デバイスの例の図であり、第２の起動ボタンが閉じられている図である。
【図２７Ｄ】単極構成にある電気手術デバイスの例の図であり、第１の起動ボタンが閉じられている図である。
【図２８Ａ】電気手術デバイスがオフである、起動ボタンとセレクタとを含む起動回路を含む電気手術デバイスの図である。
【図２８Ｂ】双極構成にある、図２８Ａの電気手術デバイスの図である。
【図２８Ｃ】単極構成にある、図２８Ａの電気手術デバイスの図である。
【図２９Ａ】再構成可能な導電路を含むシャトルの例の図であり、電気手術デバイスは双極構成にある図である。
【図２９Ｂ】双極構成に移行しているシャトルの例の図であり、導電路は再構成されている図である。
【図２９Ｃ】単極構成にあるシャトルの例の図であり、導電路はジェネレータの内部で再構成されている図である。
【図３０Ａ】再構成可能な導電路と１つの可能性があるプラグ装置とを備えたシャトルの例の図である。
【図３０Ｂ】再構成可能な導電路と別の可能性があるプラグ装置とを備えたシャトルの別の例の図である。
【発明を実施するための形態】
【００１５】
本明細書に提示されている説明および実例は、当業者に、本教示、その原理、およびその実際の応用を知らせることを目的としている。当業者は、本教示を、特定の用途の要件に最適であり得るように、その様々な形で採用し、応用してもよい。したがって、記載されている本教示の特定の実施形態は、本教示に関して包括的または制限的であるように意図されていない。したがって、本教示の範囲は上記記載に関して決定されるべきではなく、代わりに、そのような特許請求の範囲が権利を与える同等物の全範囲と共に、添付の特許請求の範囲に関して決定されるべきである。特許出願および特許公報を含む、全ての記事および参考文献の開示は、事実上本願に引用して援用する。以下の特許請求の範囲から得られる他の組合せもまた可能であり、それもまた本明細書に引用して援用する。
【００１６】
本願は、２０１３年３月１５日に出願された米国仮特許出願第６１／７８７，７３１号、および２０１３年７月１２日に出願された同第６１／８４５６６４号の優先権を主張するものであり、どちらも、あらゆる理由から、それらの内容全体を本願に引用して援用する。本教示は電気手術デバイスに関する。本教示は電気手術デバイスおよび電気手術システムを形成する、関連する構成部品に関することが好ましい。電気手術システムは、本明細書において教示されているデバイスの１つ以上を含む任意のシステムであってもよい。電気手術システムは少なくとも電気手術デバイスを含むことが好ましい。電気手術システムは、本明細書において教示されている１つ以上のハンドピース、１つ以上の設置パッド、１つ以上のジェネレータ、１つ以上の電気手術デバイス、１つ以上の隣接したハンドピース構成部品、またはそれらの組合せ、および電気手術システムに組み込まれている各デバイスの本明細書における教示を含んでいてもよい。電気手術デバイスは、外科医により使用されて外科的手技を実施し得る任意のデバイスであってもよい。電気手術デバイスは、２つ以上の構成（形態）間で、２つ以上の状態間で、または両方の間でスイッチングされるように機能してもよい。例えば、電気手術デバイスは、単極構成（単極形態）、双極構成（双曲形態）、非電気手術構成（非電気手術形態）のうちの２つの間で、またはその３つの間でスイッチングされてもよい。電気手術デバイスは、使用者が第２の手を必要とせず、または手技を中断することなく、更には両方で、構成間でスイッチングし得るように、片手で２つ以上の構成間でスイッチングされる任意のデバイスであってもよい。電気手術デバイスは、器用に使用され、構成間で器用にスイッチングされ、または両方が行われる、任意のデバイスおよび／または構成であってもよい。電気手術デバイスは、切開し、止血を実施し、凝固させ、乾燥させ、高周波治療を行い、電気焼灼術を行い、またはこれらのうちいくつかを行うのに使用されてもよい。電気手術デバイスは、双極能力、単極能力、非電気手術能力、またはこれらのうちいくつかを含む任意のデバイスであってもよい。電気手術デバイスは直視下手術において使用されてもよい。その電気手術能力に加えて、電気手術デバイスは非電気手術目的に使用されてもよい。例えば、電気手術デバイスは、物体、器官、血管、皮膚、組織等またはこれらのうちいくつかの組み合わせを把持するのに使用され得る、鉗子およびピンセットの一方または両方として使用されてもよい。別の例では、デバイスの１つ以上の部品が鋭い縁部を含んでいてもよく、メスの縁部と同様に、切開するのに使用されてもよい。電気手術デバイスはハンドピースとジェネレータとを含んでいてもよい。電気手術デバイスは、ハンドピースとジェネレータとの間に流れる１つ以上の治療信号を有していてもよい。
【００１７】
１つ以上の治療信号は、信号、電力、導通、またはこれらのうちのいくつかであってもよい。１つ以上の治療信号はハンドピースからジェネレータへ流れてもよく、またはその逆も同様である。１つ以上の治療信号は、ハンドピースにより形成されてもよく、ジェネレータにより形成されてもよく、または両方でもよい。電気手術治療信号は治療電流であってもよい。電気手術治療信号は、使用者がステップを実施したこと、および治療電流とエネルギーの一方または両方が生成されるように信号が送信されていること、を示すことが好ましい。電気手術治療信号は、１つ以上の治療電流が生成されかつ治療電流が電気手術に使用され得るように、信号を供給してもよい。電気手術治療信号は、起動回路が第１のスイッチ状態、第２のスイッチ状態、第３のスイッチ状態にある場合に伝導されてもよく、ハンドピースは、第１の位置、第２の位置、第３の位置、またはスイッチ状態とハンドピースの位置の組合せにある。起動回路が第１のスイッチ状態にある場合、治療信号は生成されないか、ハンドピースを出ないかの一方または両方であることが好ましい。電気手術治療信号は、単極治療信号および双極治療信号の一方または両方であってもよい。単極治療信号は、ジェネレータのリターンポート（ｒｅｔｕｒｎ  ｐｏｒｔ）とアクティブポート（ａｃｔｉｖｅ  ｐｏｒｔ）との間で電圧差を有する任意の信号であってもよい。単極治療信号は、電気手術デバイスにより印加された場合に電気手術デバイスの１つの極から遠隔位置に配置されている別の極へ、電気手術デバイスから、ハンドピースから、またはそれらの両方で流れる、任意の信号であってもよい。双極治療信号は、電気手術デバイスに接続されている、またはジェネレータ内に配置されている、または両方である２つのリード線間に電圧差を有する任意の信号であってもよい。双極治療信号は、電気手術デバイスにより印加された場合にハンドピースの１つの構成要素からハンドピースの別の構成要素へ（例えば、２つの動作アーム間に、ブレード電極から一方もしくは両方の動作アームへ、または両方で）流れる、任意の信号であってもよい。電気手術治療信号は、起動回路が第２状態にある場合、治療電流がブレード電極から、または第１の動作アームと第２の動作アームとの間で、またはブレード電極と動作アームの一方もしくは両方との間で、またはそれらの組合せで流れるように、ハンドピースを出てもよい。治療信号は生成され、ハンドピースからジェネレータへ伝導されてもよい。
【００１８】
ジェネレータは、電力、治療電流、制御信号、電気手術治療信号を供給する任意のデバイスであってもよく、使用者からの信号に応答して自体を電子的に再構成するか、使用者による調節に応答して物理的に再構成するか、またはこれらの組合せを行う。ジェネレータは、ハンドピースに電気的に接続されて、電気手術治療信号、電力、治療電流のいずれかまたはこれらのいくつかを供給するかつ／または受信するように機能してもよい。ジェネレータは単一の治療電流のみを生成することが可能であってもよい。ジェネレータは２つの治療電流を生成することが可能であってもよい。ジェネレータは、２つ以上の電力接続部、３つ以上の電力接続部、または４つ以上の電力接続部を含んでいてもよい。電力接続部は、電力、制御信号、治療電流のいずれかまたはこれらのいくつかが電気手術デバイスに供給されるようにハンドピースの１つ以上の電力コネクタのプラグが差し込まれるように、ジェネレータの任意のポートであってもよい。ジェネレータは、電力接続部の１つ以上の間でスイッチングされてもよい１つ以上のスイッチを含んでいてもよく、それによって電気手術デバイスの所望の構成に基づいて電力と信号の一方または両方が電気手術デバイスに選択的に印加し得る。ジェネレータは、中央処理装置（ＣＰＵ）と一連の内部スイッチング部の一方または両方を含んでいてもよい。内部スイッチング部は、電圧源が電気手術デバイスおよび好ましくはハンドピースに供給するように、起動回路から電圧源へ信号を供給してもよい。ＣＰＵは内部スイッチング部と交換されてもよく、スイッチング部はＣＰＵと同一の機能を実施してもよい。ＣＰＵは、電気手術デバイスが本明細書において検討されている所望の機能を実施するのに使用され得るように、電力、信号、電気的再構成、２つ以上の治療電流間のスイッチ、２つ以上の構成間のスイッチ、２つ以上の治療信号間のスイッチのいずれかまたはこれらうちいくつかを電気手術デバイスにもたらす任意のデバイスであってもよい。ＣＰＵは、第１の構成、第２の構成、第３の構成、単極構成、双極構成、非電気手術構成のいずれかまたはこれらのうちいくつかの間で電気手術デバイスをスイッチングするのに使用されてもよい。
【００１９】
第１の構成、第２の構成、および第３の構成は、電気手術デバイスが機械的に再構成されるような、または電気的に再構成されるような、または信号的に再構成されような、またはその他の様々な態様で、更にはこれらのうちいくつかが行われるような、任意の構成であってもよい。第１の構成、第２の構成、および第３の構成は、本明細書において検討されている様々な構成のいずれかであってもよい。第１の構成は第１の治療電流を供給してもよい。第１の治療電流は単極エネルギーおよび／または単極電流であってもよい。第１の治療電流は双極エネルギーおよび／または双極電流であることが好ましい。双極エネルギーは、印加中に電気手術デバイスの１つの極から電気手術デバイスの別の極へ流れる、任意の電力源であってもよい。換言すれば、双極エネルギーは、ハンドピースの１つの構成要素からハンドピースの別の構成要素へ流れるエネルギーである。例えば、ハンドピース上の２つの動作アーム間に流れるエネルギーは双極エネルギーであり、またはブレード電極から動作アームへ流れるエネルギーは双極エネルギーである。第１の電気的構成は、１つ以上の第１の起動ボタンを電気的に切断すること、起動回路の全部または一部分を電気的に切断すること、１つ以上の第１の起動ボタンを覆うこと、ブレード電極を電気的に切断すること、動作アームの一方もしくは両方を電気的に切断すること、ブレード電極をリターンパッドと短絡させることのいずれかまたはそれらの組合せにより動作を停止されてもよい。第２の構成は第２の治療電流を供給してもよい。第２の治療電流は双極エネルギー（例えば、双極電流または双極電力）であってもよい。第２の治療電流は、好ましくは単極エネルギー（例えば、単極電流または単極電力）であってもよい。単極エネルギーは、印加中に電気手術デバイスの１つの極から、電気手術デバイスおよびハンドピースの一方または両方から離れた遠隔位置に配置されている別の極へと、流れる任意の電力源であってもよい。換言すれば、双極エネルギーは、ハンドピースの１つの構成要素からハンドピースの一部ではない構成要素へ流れるエネルギーである。例えば、ブレード電極から接地パッドへ流れるエネルギーは単極エネルギーであり、または一方もしくは両方の動作アームから接地パッドへ流れるエネルギーは単極エネルギーである。第２の電気的構成は、１つ以上の第２の起動ボタンを電気的に切断すること、起動回路の全部または一部分を電気的に切断すること、１つ以上の第２の起動ボタンを覆うこと、一方もしくは両方の動作アームを電気的に切断すること、ブレード電極を電気的に切断すること、第１の動作アームを第２の動作アームと短絡させること、またはそれらの組合せにより動作を停止されてもよい。第３の構成は、電気手術構成、非電気手術構成、または両方であってもよい。第３の構成は非電気手術構成であることが好ましい。ハンドピースを通って流れる治療電流は、ジェネレータからの信号およびまたは電流；起動回路のスイッチ状態（例えば、第１のスイッチ状態、第２のスイッチ状態、第３のスイッチ状態等）；ハンドピース位置（例えば、第１の位置、第２の位置、第３の位置等）により影響を受ける可能性がある。例えば、ハンドピースが第２の位置にありかつ起動回路が第２スイッチ状態にある場合、治療電流は単極エネルギーであってもよい。しかし、ハンドピースが第２の位置にある場合、治療電流は双極エネルギーであってもよい。別の例では、ハンドピースが第１の位置にありかつ起動回路が第１スイッチ状態にある場合、治療電流は双極エネルギーであってもよい。第１の構成、第２の構成、および第３の構成は任意の構成であってもよく、かつ／または単極構成、双極構成、非電気手術構成に関して本明細書において検討されている機能の１つ以上を実施してもよく、それらの機能の各々を本願に援用する。本明細書において検討されている通り、第１の構成は双極構成であり、第２の構成は単極構成であり、第３の構成は非電気手術構成であることが好ましい。
【００２０】
非電気手術構成は、電力がハンドピース、ブレード電極、２つ以上の動作アームのいずれかまたはこれらのいくつかに供給されない、任意の構成であってもよい。非電気手術構成は、電気手術デバイスが鉗子、ピンセット、メス、クランプ、ケリー（Ｋｅｌｌｙ）止血鉗子、またはそれらの組合せとして使用されている場合に使用されてもよい。非電気手術構成では、動作アームは可動性であってもよい。非電気手術構成では、動作アームは不動化されていてもよく、ブレード電極、切開アーム、延長可能なアームのいずれかまたはこれらのいくつかを不動化してもよい。切開アームと延長可能なアームの一方または両方は、ブレード電極であってもよく、鋭い縁部を含む個別のアームであってもよくかつ単極アームと交替されてもよく、または両方であってもよい。非電気手術構成は、ボタンを押すこと、スイッチをひねること、切開アームを進出させること、ブレード電極を進出させること、延長可能なアームを進出させることのいずれかまたはこれらのいくつかの組合せにより、単極構成または双極構成にスイッチングされてもよい。
【００２１】
デバイスは、単極構成にある場合、ハンドピース構成要素（例えば、ブレード電極）および電気手術デバイスのハンドヘルド部の外部の別の位置に配置されていてもよいリターン電極を通して、またはハンドピース構成要素および隣接したハンドピース構成要素を通して、または両方で電力を供給してもよい。単極構成は、電気手術デバイスが単極電力を印加するのに使用されてもよい任意の構成であってもよい。単極構成は、組織を切開すること、血液および／または流体を凝固させること、電気的な切開を行うこと、止血を行うこと、大領域に電力を印加することを単独でまたはこれらのうちいくつかを行うのに使用されてもよい。単極構成は、特定の領域を加熱すること、両電極間にある物体を加熱すること、両電極と接触することを単独でまたはこれらのうちいくつかを行うのに使用されてもよい。単極構成は、ブレード電極が細心の注意を要する電気手術、局部的な電気手術、凝固、切開のいずれかまたはそれらのいくつかに使用されてもよいように、使用中に電力がブレード電極から一方もしくは両方の双極電極、１つ以上の不動化アーム、１つ以上の動作アーム、１つ以上の接地パッドのいずれかまたはこれらのうちいくつかへ流れるように、使用されてもよい。ブレード電極は、双極電気手術と比較された場合、それほど細心の注意を要さない手技とそれほど局部的でない電気手術の一方または両方に使用されてもよい。
【００２２】
デバイスは、双極構成にある場合、単極構成と比較された場合に電力用の帰路が比較的短くなるように、デバイスの１つの部分からデバイスの第２の部分へ電力を供給してもよい。双極構成は、電気手術デバイスが双極電力を印加するのに使用されてもよい任意の構成であってもよい。デバイスは、双極構成にある場合、２つの動作アームなどの２つの局部的なハンドピース構成要素間に電力を供給してもよい。双極構成は、凝固させるのに、止血、切開、高周波治療のいずれかまたはこれらのいくつかのために使用されてもよい。双極構成にある場合、電気手術デバイスは２つの対向する動作アームを含んでいてもよい。２つの対向する動作アームは鉗子として構成されていてもよい。
【００２３】
鉗子は、１つ以上の物体を把持し、保持し、圧搾し、またはこれらのいくつかを行うように機能してもよい。鉗子は、１つ以上の物体を把持するのに使用されてもよいように、鉗子を動かすのに使用されてもよい１つ以上のつまみ（すなわち、鋏のように構成されている）を含んでいてもよい。鉗子はつまみがなくてもよく、鉗子が閉じて物体を把持するように、鉗子の対向する側面にかけられている直圧により起動されてもよい。鉗子は少なくとも２つの動作アームを含む。
【００２４】
動作アームは、２つ以上の対向する動作アーム間に物体がある場合、物体を把持し、保持し、圧搾し、またはこれらのいくつかを行うように機能してもよい。動作アームは、物体を把持すること、保持すること、圧搾することのいずれかまたはこれらのうちいくつかを行うことを補助する１つ以上の把持特徴部を含んでいてもよい。動作アームは２つ以上の位置間で可動であってもよい。動作アームは少なくとも第１の位置と第２の位置との間で可動であることが好ましい。例えば、動作アームは、双極構成（例えば、第１の位置）と単極構成（例えば、第２の位置）との間で可動であってもよい。第１の位置にある動作アームはオフであってもよく、エネルギーを与えられていてもよく、一方の動作アームがエネルギーを与えられていてもよく、更にはこれらのいくつかであってもよい。第２の位置にある動作アームはオフであってもよく、動作アームの一方もしくは両方が電気的に切断されていてもよく、動作アームの一方もしくは両方が電気的に接続されていてもよく、一方の動作アームが他方の動作アームにより短絡されていてもよく、更にはこれらのいくつかであってもよい。第２の位置では、動作アームが鉗子として使用されることが不可能であるように、動作アームは不動化されていることがより好ましい。動作アームは長手方向に静的であり、互いに対して可動であってもよい。動作アームは長手方向に可動であってもよく、把持力が生み出されるように互いに対して可動であってもよい。例えば、動作アームは、双極構成にある場合、両方とも延長されてもよく、次いでブレード電極が露出されて単極構成を形成するように格納されてもよい。動作アームは、個々に、同時に、または両方で、格納可能および／または延長可能であってもよい。動作アームは、１つ以上の先端領域が露出されるように、選択的に格納可能および／または延長可能であってもよい。
【００２５】
動作アームは先端領域を含んでいてもよい。先端領域は、把持すること、保持すること、圧搾すること、更にはこれらのいくつかを行うことを容易化することを補助するように構成されている部分を含んでいてもよい。さらに、先端領域は、１つ以上の電気手術構成（例えば、単極構成、双極構成、または両方の組合せ）において構成されていてもよい。先端領域は、歯、鋸状形態、ねずみ歯（ｍｏｕｓｅ  ｔｅｅｔｈ）を含んでいてもよく、歯がなくてもよく（すなわち滑らか）、更にはこれらの組合せたものであってもよい。先端領域は完全におよび／または部分的に絶縁されていてもよい。先端領域は、電気手術エネルギーが偶発的な接触により漏洩しないように、動作アームの非接触部分に絶縁を含んでいることが好ましい。動作アームはアクティブ部（ａｃｔｉｖｅ  ｐｏｒｔｉｏｎ）および非アクティブ部（ｉｎａｃｔｉｖｅ  ｐｏｒｔｉｏｎ）（すなわち、絶縁された部分）を含んでいてもよい。
【００２６】
アクティブ部は電力を印加するように機能してもよい。アクティブ部は鉗子の接触領域と同一の部分であってもよい。したがって、例えば、鉗子の接触部間に組織が握持された場合、電力がこの接触部を介して組織に供給されてもよい。動作アームのアクティブ部は２つの対向する動作アーム間にあることが好ましく、ブレード電極のアクティブ部は、動作アームを越えて、またはチャネルから外へ、更には両方によって進出している部分である。アクティブ部は、非アクティブ部または絶縁された部分により実質的に取り囲まれていてもよい。非アクティブ部は、電力を供給しない、または絶縁されている、更には両方である任意の部分であってもよい。非アクティブ部は、偶発的な接触により電力を漏洩する可能性があり、したがって電力の偶発的の漏洩が起こらないようにかつ／または漏洩電流が防止されるように絶縁されている、任意の部分であってもよい。例えば、動作アームの外側は、関心組織の近傍の組織に動作アームが誤って接触した場合に近傍の組織が電流の漏洩に晒されないように、絶縁材料で被覆されていてもよい。非アクティブ部およびアクティブ部は、異なる材料で作製されていてもよく、異なる材料で被覆されていてもよく、または両方であってもよい。
【００２７】
動作アームは、把持し、保持し、圧搾し、またはこれらのいくつかを行うのに使用されてもよくかつ単極電力、双極電力、治療電流、把持力のいずれかまたはこれらのいくつかを所望の位置へ供給する任意の材料で作成されていてもよい。動作アームは１つの材料で作製されていてもよく、各動作アームの先端領域は、絶縁性、基材より高い導電性、基材より低い導電性のいずれかまたはこれらのいくつかを組合せたものであってもよい１つ以上の材料を含んでいてもよいか、それらで被覆されていてもよいか、または両方であってもよい。１つ以上の動作アームは、動作アームの長さ方向に沿って１つ以上の材料を含んでいてもよい。例えば、動作アームは完全にステンレス鋼で作製されていてもよい。各動作アームは２つ以上の材料を含むことが好ましい。例えば、動作アームはステンレス鋼の基材を有していてもよく、動作アームは、シリコーンまたはポリテトラフルオロエチレン（ＰＴＦＥ）などの絶縁材料で被覆されていてもよい。動作アームは、外科的手技、好ましくは電気外科的手技（ｅｌｅｃｔｒｏｓｕｒｇｉｃａｌ  ｐｒｏｃｅｄｕｒｅ）における使用に安全な任意の材料を含んでいる可能性があることが好ましい。動作アームは、金属、プラスチック、ポリマー、エラストマー、金、銀、銅、チタン、アルミニウム、鉄ベースの金属、ステンレス鋼、シリコーン、ポリテトラフルオロエチレン（ＰＴＦＥ）、絶縁ポリマー、ゴムのいずれかまたはこれらのいくつかを組合せたものを含んでいてもよい。各動作アームは、動作アームが互いに接触している、２つの動作アーム間の接触領域を除いて、絶縁材料で実質的に被覆されていることが好ましい。動作アームは、使用者が動作アームに接触する領域において被覆されていてもよい。動作アームは、アクティブ部およびパッシブ部、非アクティブ部、または両方を有していてもよい。例えば、アクティブ部は、動作アームを通って延在している金属であってもよく、単極エネルギー、双極エネルギー、把持能力、保持能力、圧搾能力のいずれかまたはこれらのうちいくつかをもたらすのに使用されてもよい。パッシブ部は、アクティブ部を収容する部分であってもよい。パッシブ部はハウジングであってもよい。
【００２８】
動作アームはハウジングの内部に配置されていてもよい。ハウジングは、動作アームに電気的に接続していてもよく、機械的に接続していてもよく、または両方であってもよい。ハウジングは、１つ以上の動作アームを含み得るかつ使用中に使用者により把持され得る、デバイスの任意の部分であってもよい。ハウジングは、ハウジングが圧縮されると２つの動作アームが移動し得るように、ピボット点であってもよい。ハウジングは、先端領域のみがハウジングから外へ延出し露出されるように、動作アームを実質的に取り囲んでいてもよい。ハウジングは動作アームの外側を取り囲んでいてもよく、動作アームの内側は、ブレード電極が２つの動作アーム間を進出する際にブレード電極が動作アームの一方または両方に接触するように、露出されていてもよい。ハウジングは把持部を含んでいてもよい。把持部は、加圧時に動作アームを閉じてもよく、圧力解除時に動作アームは開位置に戻ってもよい。把持部は、使用者が電気手術デバイスを鉛筆の様に保持するのを補助してもよい。電気手術デバイスは、外側ハウジングと内側ハウジングとを含んでいてもよい。内側ハウジングは、電気手術デバイスの１つ以上の内部特徴部を含んでいてもよく、取り囲んでいてもよく、封入していてもよく、包み込んでいてもよく、収容していてもよく、さらにはこれらのいくつかを行っていてもよい。内側ハウジングは、電線、端子、プラグ、プリント基板、ばねピンのいずれかまたはこれらのいくつかなどの電気部品を収容していてもよい。内側ハウジングは、電気部品に耐水性をもたらすように機能してもよい。内側ハウジングは、シャトルの貫通孔を通って延在していてもよく、シャトルが内側ハウジングに沿って移動する案内をもたらしてもよく、または両方を行ってもよい。内側ハウジングは外側ハウジングの一体部分であってもよい。内側ハウジングは１つ以上の個別の部分であってもよい。内側ハウジングは共に接続されている２つ以上の部品であってもよい。内側ハウジングは外側ハウジングに接続されていてもよく、本明細書において検討されている起動ボタンの１つ以上を収容していてもよく、またはこれらのうちいくつか行ってもよい。ハウジングは電源に電気的に接続されており、動作アームの各々に電力を供給してもよい。ハウジングは電気的に絶縁性であってもよい。ハウジングは１つ以上のヒンジ部および／または１つ以上のヒンジ部部分を含んでいてもよい。
【００２９】
１つ以上のヒンジ部は剛体部品に接続し、動作アーム、ハンドピース、電気手術デバイスのいずれかまたはこれらのうちいくつかに可撓性を与えるように機能してもよい。１つ以上のヒンジ部は、ハウジングがハンドピースの構成要素を実質的に覆うことを可能にすると同時に、ハウジングに動きを与えるように機能してもよい。一方の動作アーム上にのみヒンジ部があってもよく、または各動作アーム上にヒンジ部があってもよい。ハウジングは、剛体静止セクション、可動セクション、可撓性ヒンジ部セクションのいずれかまたはこれらのうちいくつかを含んでいてもよい。剛体静止セクションは、電気手術デバイスの近位端に（すなわち、使用者に最も近接して）あってもよい。剛体部は、動作アームがヒンジ部を中心に動かされた場合、動かない可能性がある。ヒンジ部は、可動セクションがそれを中心に回転するピボット点を作り出してもよい。可動セクションは、把持力、把持運動のいずれかまたは両方が生成されるように動くように機能してもよい。可動セクションは動作アームの全部または一部分を覆ってもよい。動作アームの先端のみは、ハウジングの可動セクションを越えて延出していてもよい。可動セクションは実質的に剛体であってもよいが、当該セクションが可動でありかつ／または可撓性であるように、ヒンジ部を中心にピボットしてもよい。例えば、動作アームの可動セクション自体は可撓性でなくてもよいが、可動セクションがアームと共に移動するように、アームは可動であってもよい。可動セクションはヒンジ部の遠位側（すなわち、使用者から最も遠いヒンジ部の側）にあってもよい。可動セクション、剛体静止セクションのいずれかまたは両方は、ヒンジ部と共に、可動接続部、剛性接続部のいずれかまたは両方を形成していてもよい。好ましくは、可動セクションは可動接続部を形成し、剛体静止セクションは剛体接続部を形成する。可動接続部は、ヒンジ部作用、前後運動のいずれかまたは両方を可能にするように機能してもよい。可動接続部は、鉗子が開かないように、鉗子の把持に対抗する力を生成してもよい。可動接続部は、剛体接続部に対向するピボット点を作り出してもよい。剛体接続部は静止したままであってもよく、一方、可動接続部は剛体接続部の周囲で動く。剛体接続部は、ヒンジ部が動いてもよく、曲がってもよく、ピボットしてもよく、アームが動くことを可能にしてもよく、またはこれらのいくつかを行ってもよいように、ヒンジ部をしっかりと固定するヒンジ部の一方の側を形成し得る。ヒンジ部は、ヒンジ部が動くように任意の形状であってもよい。ハウジングの剛体静止セクションは略Ｃ形状の横断面を有しており、（鉗子の内部構成要素を）取り囲む外郭構造をもたらしてもよい。同様に、また、剛体可動セクションはＣ形状横断面を有しており、（鉗子の内部構成要素を）取り囲む外郭構造をもたらしてもよい。ヒンジ部セクションは、ヒンジ部部の横断面が実質的に平面であるように、Ｃ形状横断面の外部に溝穴部を有していてもよい。実質的に平面の横断面は、ヒンジ部セクションが剛性静止セクションおよび剛体可動セクションと比較されて相対的に可撓性であるように、より低い耐屈曲性を有していてもよい。ヒンジ部セクションは略「Ｔ」形状を形成していてもよい。ハウジングは、１つ以上の起動ボタン、１つ以上の起動回路、１つ以上のプリント基板および関連制御部、１つ以上のブレード電極、１つ以上のシャトル、１つ以上のチャネル、１つ以上の不動化アーム、１つ以上の不動化特徴部、１つ以上の電線、１つ以上のコンダクタのいずれかまたはこれらのうちのいくつかを含んでいてもよい。
【００３０】
１つ以上の不動化アーム、１つ以上の不動化特徴部のいずれかまたは両方は、電気手術デバイスが単極構成にある場合に一方または両方の動作アームを不動化し得るハウジングと動作アームの一方または両方の任意の特徴部であってもよい。不動化アームはハウジングに接続されていてもよく、動作アームの一方または両方の間を延在していてもよく、ブレード電極が進出した場合に不動化アームは分離され、動作アームは動かされて互いに接触する。不動化アームはハウジングに接続されていてもよく、動作アームの一方もしくは両方の間に延在していてもよく、ブレード電極が進出した場合に不動化アームは圧縮され、共に押され、または両方が行われ、動作アームは動かされて互いに接触する。不動化アームは動作アームに実質的に平行であってもよく、動作アームと同一の方向に、動作アームから離れて、対向する動作アームの方へ、使用者の方へ、使用者から離れて、またはこれらのいくつかの態様で延在していてもよい。動作アームおよび不動化アームは、略「Ｘ」形状を形成していることが好ましく、「Ｘ」の一方の側が外側に動かされる場合に「Ｘ」の反対側が内側に動かされる。例えば、ブレード電極が前方に動かされるので、ブレード電極は楔を含んでいてもよく、当該楔は、動作アームが共に動かされるように不動化アームを無理に離すように作用してもよい。動作アームおよび不動化アームは２つの略「Ｖ」形状を形成していてもよい。２つの略「Ｖ」形状は、一方の「Ｖ」が拡大されたら他方の「Ｖ」が縮小されるように、実質的に同一の方向に延在していてもよい。不動化アームは重複していてもよい。重複部分は「Ｖ」形状を形成していてもよい。例えば、一方の不動化アームは、ハウジングと第１の動作アームの一方または両方から、第２の動作アーム、第２の動作アームに近接したハウジング、または両方に向かって延在していてもよく、第２の動作アームは、ハウジング、第２の動作アーム、または両方から、第１の動作アームの方へ延在していてもよく、楔などの不動化特徴部が第１の不動化アームと第２の不動化アームとの間で動かされると、不動化アームは、動作アームが動かされて接触し不動化されるように、対向する動作アームに接近してもよい。
【００３１】
２つ以上の動作アームは不動化特徴部により不動化されていてもよい。不動化特徴部は、アームが単極構成において不動化されるように、または鉗子が無効にされるように、更には両方が行われるように、２つ以上の動作アームを接続する任意の特徴部であってもよい。不動化特徴部は、アームの一部、ハウジングの一部、シャトルの全部もしくは一部のいずれかまたはこれらのうちいくつかの組合せであってもよい。不動化特徴部は各アームの全部または一部分に沿って延在している行路であってもよく、シャトルが単極構成へ前方または後方に移動すると、動作アームの各々が動かされて互いに接触するように、各行路は延在しておりシャトルと連携していてもよく、双極構成から逆もまた同様である。不動化特徴部は、２つの動作アームを共に係止するロック、固定装置、動作アームの全部または一部分を収容する部品のいずれかまたはこれらのいくつかを組合せたものであってもよい。不動化特徴部は、動作アームをスライドさせ圧縮する部品、動作アームを捻じり径方向に圧縮する部品、または両方の組合せであってもよい。不動化特徴部は、動かされかつ不動化している間に、ブレード電極を動かしてもよく、ブレード電極をチャネルから外へ延出させてもよく、または両方の組合せを行ってもよい。
【００３２】
ハウジングと１つ以上の動作アームの一方または両方の組合せは１つ以上のチャネルを含んでいてもよい。チャネルは、１つ以上の動作アームの内部の任意の位置に配置されていてもよく、１つ以上の特徴部がチャネルを通って延びる。１つ以上のチャネルは、ハウジング、動作アームのいずれかまたは両方の遠位端（すなわち、電気手術に使用される端部と使用者から最遠の端部の一方または両方）で終端していてもよい。チャネルは、デバイスがチャネル内に配置されていてもよく、チャネルから延出してもよいように、材料の欠如部であってもよい。チャネルは、電気手術中に選択的に使用される任意のデバイスを収容してもよい。チャネルは、１つ以上の電気手術デバイスを収容する任意の形状であってもよい。チャネルは、使用中にデバイスが使用のためにチャネルを通して延長されるように、円形、四角形、楕円形、ダイヤモンド形等いずれかまたはこれらのうちいくつかを組合せた形状であってもよい。チャネルから延長されるデバイスは、機械的切開デバイス、吸引部、煙排出ポット、ブレード電極、可動部材のいずれかまたはこれらのいくつかであってもよい。ブレード電極は、ブレード電極が使用され得るように、チャネルから外へ進出されることが好ましい。
【００３３】
ブレード電極は、手技中に単極電力を印加するのに使用され得る、長手方向に可動であり得る、回転可動であり得る、延長可能であり得る、格納可能であり得る、またはこれらのいくつかであり得る、任意のデバイスであってもよい。ブレード電極は静的であってもよい。一実施形態では、ブレード電極は静的であってもよく、動作アームは、動作アームが動かされた場合にブレード電極が露出されるように、ブレード電極に対して動かされてもよいことが好ましい。ブレード電極は可動であることがより好ましい。ブレード電極は、第１の位置（例えば、格納された）、または第２の位置（例えば、進出された）を有していてもよい。第１の位置は、動作アームがブレード電極を通過する（例えば、動作アームがブレード電極を通過して延出するようにブレード電極が格納されるか、または動作アームがブレード電極を通過して延出するように動作アームが延長される）ように、動作アームに対してブレード電極が配置されている所であってもよい。第１の位置は、ブレード電極が電気的に切断されている、または別のハンドピース構成要素に対して電気的に短絡されている、または電力がブレード電極から通ることができないように電気的に絶縁されている、またはこれらのいくつかが行われている所であってもよい。第２の位置は、ブレード電極が動作アームを越えて進出している（例えば、動作アームが使用者に近接して配置されているようにブレード電極が進出しているか、またはブレード電極が動作アームを越えているように動作アームが格納されている）ように、ブレード電極が動作アームに対して配置されている所であってもよい。第２の位置は、ブレード電極が電気的に接続されている、治療電流を供給する、電気的に導通している、またはそれらの組合せを行う所であってもよい。ブレード電極は、起動された場合に単極電力を供給するのに使用され得る別個の部品であってもよい。ブレード電極は、２つの動作アームを接続しかつ一方の動作アームのみを通して電力を供給することにより形成されていてもよい。ブレード電極は、電気的に切開すること、機械的に切開することの一方または両方に使用されてもよい。ブレード電極は、動作アームの一方から、または動作アーム間を、または両方で延出している独立した第３の動作アームであってもよい。
【００３４】
ブレード電極は、動作アームの一方または両方と同一の材料で作製されていてもよい。動作アームとブレード電極とは異なる材料で作製されていることが好ましい。ブレード電極は１つの材料で作製されていてもよい。ブレード電極は２つ以上の材料を含むことが好ましい。ブレード電極は、ステンレス鋼、銅、銀、チタン、金属、サージカルスチール、良好な熱散逸特性を有する金属、不十分な熱散逸特性を有する金属、高熱伝導性を有する材料のいずれかまたはこれらのうちいくつかを組合せたもので作製されていてもよい。ブレード電極は、第１の熱伝導性を有する材料を含んでいてもよく、動作アームは、第２の熱伝導性を有する材料を含んでいてもよい。ブレード電極、動作アームの一方または両方は、第１の熱伝導性を有する材料および第２の熱伝導性を有する材料の両方を含んでいてもよいと考えられる。第１の熱伝導性を有する材料および第２の熱伝導性を有する材料は、本明細書において検討されている材料のいずれかであってもよい。第１の熱伝導性を有する材料は、第２の熱伝導性を有する材料より低い熱伝導性を有していてもよい。第１の熱伝導性を有する材料は、第２の熱伝導性を有する材料より高い熱伝導性を有することが好ましい。ブレード電極は被覆を含んでいてもよい。被覆は、絶縁特性をもたらす、基材の改善された熱散逸をもたらす、腐食を防止する、またはこれらのいくつかを行う、任意の被覆であってもよい。被覆は、ポリマー、エラストマー、シリコーン、ポリテトラフルオロエチレン（ＰＴＦＥ）等のいずれかまたはこれらのうちいくつかを組合せたものであってもよい。被覆は、ブレード電極のアクティブ領域（ａｃｔｉｖｅ  ｒｅｇｉｏｎ）を除いて、ブレード電極の実質的に全部を覆って延在していてもよい。ブレード電極は、ブレード電極の全部または一部分を覆う１つ以上の絶縁体スリーブを含んでいてもよく、ブレード電極は、絶縁体ハウジング内におよびそこから外へ可動であってもよい。
【００３５】
絶縁体ハウジングは、ブレード電極が絶縁体ハウジングの内部に配置されている場合に電力および／または漏洩電力がブレード電極へおよび／またはそこから流れないようにするように機能してもよい。絶縁体ハウジングは、ブレード電極の全部または一部分を受容してもよい。絶縁体ハウジングは、ブレード電極が格納位置と双極構成の一方または両方にある場合、ブレード電極の全部を実質的に取り囲んでいてもよい。絶縁体ハウジングは、動作アームおよび接地パッドの一方または両方からの漏洩電流からブレード電極を絶縁してもよい。絶縁体ハウジングは静的構成要素であってもよく、ブレード電極は絶縁体ハウジングに対して動いてもよい。絶縁体ハウジングは、ブレード電極へのおよび／またはそこからの電流の流れが実質的に防止されるように、絶縁材料で作製されていてもよい。絶縁体ハウジングは、ゴム、プラスチック、シリコーン、エラストマー、ＰＴＦＥのいずれかまたはこれらのうちいくつかを組合せたもので作製されていてもよいかつ／またはそれらを含んでいてもよい。絶縁体ハウジングは、ブレード電極が絶縁されかつ／または漏洩電流が防止されるように、絶縁体スリーブの代わりにまたはそれに加えて使用されてもよい。
【００３６】
絶縁体スリーブは、電力がブレード電極へおよび／またはそこから通らないようにしてもよい。絶縁スリーブは、ブレード電極が電力を供給されないように、回路が完成されることが不可能であるように、またはこれら両方であるようにブレード電極が格納されている場合、電力がブレード電極へおよび／またはそこから通らないようにすることが好ましい。絶縁体スリーブは、ブレード電極の部分を覆うスリーブであってもよい。絶縁体スリーブは、ブレード電極の同一部分が常時覆われておりかつブレード電極の同一部分が常時露出されているように、ブレード電極と共に動いてもよい。絶縁体スリーブはブレード電極の一体部分であってもよい。絶縁体スリーブはブレード電極に固定接続されていてもよい。絶縁体スリーブは、電流および／または漏洩電流がブレード電極の絶縁部分へおよび／またはそこから通らないようにされるように、ブレード電極の部分を絶縁してもよい。絶縁体スリーブは、ブレード電極および動作アームの一方または両方が接触しているかつ／または不動化されている場合に動作アームが絶縁体スリーブに接触するように、ブレード電極上に配置されていてもよい。絶縁体スリーブは接触部に近接して配置されていてもよい。接触部は、電力がブレード電極を通過するようにブレード電極が進出している場合、配線、ピン、ばねピンのいずれかまたはそれらのうちのいくつかに接触してもよい。接触部には絶縁体スリーブがなくてもよい。例えば、ブレード電極は、互いに隣接した絶縁体スリーブと接触部とを有していてもよく、ブレード電極が完全に延長された場合、ばねピンは接触部に接触してもよく、ブレード電極が完全に格納された場合、ばねピンは絶縁体スリーブに接触してもよい。絶縁体スリーブは、電力がブレード電極に入らないようにする任意の材料で作製されていてもよい。絶縁体スリーブは、絶縁体スリーブを通り抜けて電力がブレード電極に進入しないようにするように、任意の厚さであってもよい。絶縁体スリーブは単極絶縁体に接続されていてもよい。絶縁体スリーブは、ブレード電極が格納されている場合、ばねピンがブレード電極に電力を供給しないようにしてもよく、接触部は、ブレード電極が延長されている場合、ばねピンがブレード電極に電力を供給することを可能にしてもよい。
【００３７】
ばねピンは、様々な厚さの部品が動かされる際に２つのデバイス間に不断の接触が生み出されるように、（例えば、垂直に）動くように機能してもよい。ばねピンは、一方の部品から１つ以上の動いている部品へ電力が送られてもよいように、１つ以上の動いている部品間に接触を生成してもよい。ばねピンは、部品の大きさおよび／または形状の変更に対応する１つ以上のばね部を含んでいてもよい。１つ以上のばね部は可動接続部を作り出してもよい。１つ以上のばね部は、他方の部品に対する一方の部品の動きを可能にしてもよい。ばね部は本体部から延在していてもよい。本体部は、システムの内部でばねピンを接続すること補助してもよく、１つ以上の他の構成要素のための接続点をもたらしてもよく、または両方を行ってもよい。本体部は、ばねピンを回路に接続する１つ以上の接続アームを含んでいてもよい。本体部は、プリント基板に接続する２つの接続アームを含むことが好ましい。絶縁体スリーブが延長されかつ接触点がばねピンに近接した場合、ばねピンは拡張し得る。ブレード電極が格納されかつ絶縁体スリーブが格納位置に動かされた場合、ばねピンは邪魔にならない所に動くことができる。ブレード電極は単極絶縁体を含んでいてもよい。
【００３８】
単極絶縁体は、動作アームのアクティブ部の全部または一部分を絶縁し得る任意のデバイスであってもよい。単極絶縁体は、電気手術デバイスが双極構成にある場合、動作アームがブレード電極に接触しないようにしてもよい。単極絶縁体は、動かされて動作アームの一方または両方と接触してもよく、動作アームが鉗子として使用されることが不可能であるように動作アームを不動化してもよい。単極絶縁体は、電力が動作アームの一方または両方からブレード電極へ送られないようにしてもよい。単極絶縁体は、漏洩電流が動作アームから周囲領域、ブレード電極、接地パッド、またはそれらの組合せへ伝導されないようにしてもよい。双極構成から単極構成への変更中、単極絶縁体は動作アーム間に延在していてもよく、動作アームを通過すると、動作アームの先端が単極絶縁体の部分内に押し込められ不動化されるように、付勢デバイスが単極絶縁体を格納するように作用してもよい。
【００３９】
付勢デバイスは、電気手術デバイスの１つ以上の構成要素を格納するかつ／または進出させるように作用する任意のデバイスであってもよい。付勢デバイスは、双極構成にある場合、電気手術デバイスの動作アームを分離するように作用してもよい。付勢デバイスは、ブレード電極および／またはシャトルを単極構成にする方へ押してもよく、ブレード電極および／またはシャトルを単極構成から引き戻してもよく、またはそれらの組合せを行ってもよい。付勢デバイスは、シャトル、ブレード電極、動作アーム、単極電極、ブレードのいずれかまたはこれらのいくつかが完全に進出した状態および／または完全に格納された状態にあることを確実にし得る。例えば、使用者がシャトルを前方位置に移動させかつ急に停止した場合、付勢デバイスは最終位置への移動を完了させ得る。付勢デバイスは、デバイスおよび／または特徴部が双安定であるように、本明細書において検討されているデバイスおよび／または特徴部のいずれかを移動させることを補助してもよい。例えば、付勢デバイスは、ブレード電極が常に完全に進出しているかまたは完全に格納されておりかつそれらの間に配置されていないことを確実にし得る。付勢デバイスは、ばね、一片のゴム、エラストマー片、付勢表面を形成している金属の屈曲のいずれかまたはこれらのうちいくつかを組合せたものであってもよい。付勢デバイスが曲げられた場合、当該金属は曲げられて２つ以上の平面を形成してもよい。２つの対向する電気手術構成要素が移動させられるように、第１の平面は第１の表面に接触してもよく、第２のアームは第２の表面に接触してもよい。付勢デバイスは、ブレード電極、動作アーム間のシャトル、チャネルを通って延在しているデバイスのいずれかまたはこれらのいくつかに接続されていてもよい。
【００４０】
シャトルは１つ以上の起動ボタンを覆うように機能してもよく、１つ以上の起動アームを動かし、ブレード電極を動かし、一方もしくは両方の動作アームを動かし、電気手術デバイスおよび／もしくは起動回路の１つ以上の特徴部を不動化しかつ／もしくは電気的に切断し、１つ以上の起動ボタンを不動化し、１つ以上の起動ボタンの動きおよび／もしくは押下げを妨げ、１つ以上の固定化アームを動かし、またはこれらのいくつかを行う。シャトルは、起動ボタンの１つ以上が接触から保護されるように、使用中でない起動ボタンを覆うシールドであってもよい。例えば、電気手術デバイスが双極用途のために構成されている場合、シャトルは単極起動ボタンを覆いかつ双極起動ボタンを露出してもよく、または逆もまた同様である。シャトルは中実部品であってもよい。１つ以上の構成要素が貫通孔を通って延在していてもよいように、貫通孔に隣接したシャトルの部分により覆われていてもよいように、貫通孔により案内されてもよいように、またはこれらのいくつかが行われてもよいように、シャトルは貫通孔を含むことが好ましい。シャトルは、１つ以上の起動ボタンの動きが妨げられ、防止され、または両方が行われるように、１つ以上の起動ボタンの下に、その周囲に、それを通って、またはこれらのいくつかが組合せられて延在するデバイスを含んでいてもよい。例えば、シャトルが移動した場合、使用者がボタンを押し下げて電力、電気、治療電流のいずれかまたはこれらのうちいくつかを供給することができないように、シャトルの部分が１つ以上の起動ボタンの１つ以上の下に延在してもよい。シャトルは１つ以上の位置を含んでいてもよい。シャトルは少なくとも第１の位置と第２の位置と（すなわち、第１の電気的構成と第２の電気的構成と）を含むことが好ましい。第１の位置と第２の位置の一方または両方にあるシャトルは、シャトルに関して本明細書において検討されている機能のいずれかを実施してもよい。シャトルは、行路上でスライドすることにより移動してもよい。シャトルは、ブレード電極を動かすスライダ組立体であってもよい。
【００４１】
スライダ組立体は、シャトルを一方向にかつブレード電極を反対方向に動かすように機能してもよい。スライダ組立体は、あらゆる測定ユニットに関してスライダ組立体が動かされるようにギア比を有していてもよく、ブレード電極は２つの測定ユニットを動かす。スライダ組立体は、シャトルに接続されているラックアンドピニオンシステムを含んでいてもよい。スライダ組立体は１つ以上のラックを含んでいてもよい。シャトルは１つのラックに接続されていてもよく、ずらされている対向ラックが存在していてもよい。スライダ組立体は、１つ以上のラック間に延在しそれらと接触している１つ以上のピニオンおよび好ましくは２つのピニオンを含んでいてもよい。一方のピニオンは１つのラックに接触しており、他方のピニオンは第２のラックに接触しており、ピオニオン同士は相互接続されていることが好ましい。シャトルは、第１の方向に移動した場合、第１のピニオンを回転させてもよく、第１のピニオンは第２のピニオンを回転させてもよく、第１のラックおよびシャトルが移動している時に第２のピニオンは第２のラックを反対方向に駆動してもよい。ピニオンはギア比を有していてもよい。ギア比は、１：１、１：１．１以上、１：１．５以上、１：２以上、またはさらには１：５以上（すなわち、他方のピニオンの１回転ごとにピニオンが５回転する）であってもよい。シャトルはスライダ組立体を含んでいなくてもよく、直接駆動されてもよい。
【００４２】
シャトルは、格納されている可能性がある１つ以上の他のデバイスに接続されていてもよい。例えば、シャトルはブレード電極に接続されていてもよく、シャトルは、ブレード電極を単極構成および双極構成におよび／またはそれらの間に動かすのに使用されてもよい。別の例では、シャトルが移動すると動作アームが進出されるかつ／または格納されるように、シャトルは動作アームに接続されていてもよい。シャトルはブレード電極に一体的に接続されていてもよい。シャトルは１つ以上の電気コネクタを含んでいてもよい。１つ以上の電気コネクタは、電線から電気手術デバイスへ電力を通すように機能してもよい。例えば、電線が電気コネクタに接続していてもよく、電気コネクタはブレード電極に電力を供給してもよい。シャトルが延長されるかまたは格納されるとその機械的な動きにより電気手術デバイスが電気的に再構成されるように、１つ以上の電気コネクタはシャトルと共に移動してもよい。別の例では、前方位置におけるシャトルの移動は、接地パッドを電源に電気的に接続してもよく、シャトルの格納が接地パッドを電源から電気的に切断してもよい。シャトルは２つ、３つ、またはさらには４つの電気コネクタを有していてもよい。シャトルは、第１の動作アーム、第２の動作アーム、接地パッド、およびブレード電極用の電気コネクタを含んでいてもよい。シャトルは、デバイスを定位置に係止してもよく、１つ以上の動作アームを不動化してもよく、または両方を行ってもよい。例えば、電気手術デバイスが双極構成にある場合、シャトルはブレード電極を格納位置に係止してもよい。別の例では、電気手術デバイスが単極用途のために構成されている場合、シャトルはブレード電極を前方位置に係止しかつ動作アームの両方を不動化してもよい。シャトルは、戻止め、対応する陥凹部内に係止する突出部、機械的連結装置、締まり嵌め、機械的係止、またはそれらの組合せにより係止してもよい。このシャトルは電気手術デバイスの一方または両方の動作アームに接続されていてもよい。アームが動かされ、不動化され、または両方が行われるように、シャトルが単極位置の方へ延長された場合に各動作アームの全部または一部分がシャトルにより接触されるように、シャトルはハウジングに接続されていてもよく、かつ行路上でスライドしてもよい。シャトルは、楔とリングの一方または両方を含んでいてもよい。
【００４３】
楔とリングの一方または両方は、動作アームが単極構成において不動化されているように、不動化アームの一方もしくは両方、動作アームの一方もしくは両方、またはこれらのうちのいくつかを動かすデバイスであってもよい。楔は、動作アームを不動化することを補助する、不動化アームを動かす、またはこれら両方を行う任意のデバイスであってもよい。楔は、移動した場合に楔が不動化アームを分離するステップを有することなく１つ以上の不動化アームを動かすことを補助するような形状を有していてもよい。楔は、楔が２つの対向する不動化アーム間に嵌合するように、かつ楔が不動化アーム間で徐々に前進させられると楔は拡大して不動化アームを離して動かすように、一方の端部に先端部を備えた先細形状を有していてもよい。楔は略三角形の形状であってもよい。楔は、楔の先端が不動化アーム間の指された部分に到達した場合に楔がさらに前方に移動しないようにされるように、不動化アーム間に形成されている形状に対して左右対称像の形状を有していてもよい。楔は、楔が不動化アーム間で動かされた場合に楔が動作アームを不動化するように、電気手術デバイスとシャトルの一方または両方の任意の位置に配置されていてもよい。シャトルには楔がなくてもよく、かつリングを含んでいてもよい。
【００４４】
リングは、動作アームを不動化することを補助する任意のデバイスであってもよい。リングは、電気手術デバイス、動作アーム、不動化アームのいずれかまたはこれらのうちのいくつかの外面と外周の一方または両方の全部または一部分の周囲に延在していてもよい。リングは、電気手術デバイスの外側に沿って移動してもよいので、電気手術デバイスの部分がリングの内部内に配置されている。リングは、完全な円、部分的な円、「Ｕ」形状であってもよく、デバイスの長さを完全に取り巻いていてもよく、デバイスの長さを部分的に取り巻いていてもよく、またはこれらのうちいくつかの組合せたものであってもよい。リングはシャトルの一部であってもよく、シャトルであってもよく、シャトルとは別々であってもよく、ブレード電極を動かすことを補助してもよく、起動ボタンの１つ以上を覆ってもよく、１つ以上の起動ボタンの下に延在していてもよく、１つ以上の起動ボタンを通って延在していてもよく、起動回路の全部もしくは一部分の動作を停止してもよく、不動化アームの１つ以上を完全におよび／もしくは部分的に取り巻いてもよく、またはこれらのうちいくつかであってもよい。
【００４５】
起動回路は、１つ以上の治療電流が生成され、印加され、供給され、供給されないようにされ、またはこれらのいくつかが行われるように起動され得る、電気手術システム、ハンドピース、または両方の任意の部分であってもよい。起動回路は、２つ以上の構成要素を電気的に接続してもよく、２つ以上の構成要素を電気的に起動してもよく、ユーザインターフェースをもたらしてもよく、またはこれらのいくつかを行ってもよい。起動回路は、１つ以上のスイッチ状態、２つ以上のスイッチ状態、または３つ以上のスイッチ状態を有し得る。起動回路は２つのスイッチ状態（例えば、オンまたはオフ）を有することが好ましい。起動回路とスイッチの一方または両方は、起動スイッチがオンでもオフでもないニュートラル位置を有していてもよい。第１のスイッチ状態は、オフであってもよく、治療信号を供給しなくてもよく、第１の治療信号を供給しなくてもよく、第２の治療信号を供給しなくてもよく、第３の治療信号を供給しなくてもよく、またはこれらのうちいくつかであってもよい。第１のスイッチ状態は、治療信号が生成されないようにしてもよく、治療信号（例えば、第１の治療信号、第２の治療信号等）がハンドピースを出ないようにしてもよく、ハンドピースとジェネレータとの間の通信を阻んでもよく、またはこれらのうちいくつかを行ってもよい。第２のスイッチ状態は、オンであってもよく、治療信号を供給してもよく、第１の治療信号を供給してもよく、第２の治療信号を供給してもよく、第３の治療信号を供給してもよく、またはこれらのうちのいくつかであってもよい。第２のスイッチ状態は、ブレード電極、第１の動作アーム、第２の動作アーム、接地パッドのいずれかまたはこれらのうちのいくつかの間に治療電流を供給してもよく、治療信号を生成してもよく、治療信号がハンドピースを出ることを可能にしてもよく、ハンドピースとジェネレータとの間の通信を可能にしてもよく、またはこれらのうちいくつかを行ってもよい。例えば、接地パッドが電気的に切断されておりかつ起動回路が第２のスイッチ状態にある場合、治療電流は、ブレード電極と第１の動作アーム、第２の動作アーム、または両動作アームとの間で伝導されてもよい。別の例では、起動回路が第２状態にありかつブレード電極が第２の位置にある場合、ブレード電極は、第１の電力コネクタに電気的に接続されていてもよく、接地パッドは第２の電力コネクタに電気的に接続されていてもよい。起動回路は、本明細書において検討されているスイッチ状態を各々が含む１つ以上のスイッチを含んでいてもよい。起動回路は、動かされてかつ／または起動されて本明細書において検討されている１つ以上のスイッチ状態になり得る１つ以上の起動ボタンを含むかつ／または１つ以上の起動ボタンであることが好ましい。
【００４６】
１つ以上のボタンは、電気手術デバイスの１つ以上の機能を制御するように機能してもよい。１つ以上のボタンは、双極電力、単極電力、双極切開設定、双極凝固設定、治療電流、ブレード電極の回転、単極電極の回転のいずれかまたはこれらのうちのいくつかを制御してもよい。第１の色および／または構成を有する第１のボタンは、双極電力を印加するためのものであり得ることが好ましく、第２の色および／または構成を有する第２のボタンは、単極電力を印加するためのものであり得ることが好ましい。１つ以上のボタンは、単極構成から双極構成へまたはその逆にシャトルが移動する、ブレード電極が動く、またはこの両方が起こると、シャトルにより露出されてもよいかつ／または解除されてもよい。例えば、単極起動ボタンは、シャトル、ブレード電極、または両方が単極構成にある場合にのみ露出されてもよい。単極起動ボタンと双極起動ボタンの一方または両方は、関心領域に電力が供給されるように、各電極への電力をオンにしてもよい。デバイスは起動ボタンを１つだけ含んでいてもよく、また、セレクタを含んでいてもよい。
【００４７】
セレクタは、１つ以上のモード間でおよび／または１つ以上の機能間で選択するように機能してもよい。セレクタは使用者が複数の異なるモードおよび／または機能間で選択することを可能にすることが好ましい。セレクタは、起動回路の１つ以上のポート間でスイッチングしてもよく、１つ以上のポートは、実施される所望の電気手術機能をＣＰＵに通信していてもよい。ブレード電極が延長された場合および格納された場合、セレクタは自動的に動かされてもよい。使用者がセレクタを所望のモードおよび／または機能に設定してもよいことが好ましい。セレクタは、１つ以上の機能および／またはモードに同時に電力を供給してもよい。電気手術デバイスは、ブレード電極の構成を係止するボタンを含んでいてもよく、ブレード電極が回転することを可能にしてもよく、または両方を行ってもよい。
【００４８】
ブレード電極は、１つの位置から電力を供給する、電気手術デバイスの任意の部分であってもよく、電力は遠位位置へ流れる。ブレード電極は、組み合わせられるとブレード電極を形成する２つ以上のデバイスの組合せであってもよい。ブレード電極は、電気的に動力を供給されると電力を供給する個別の部分であってもよい。ブレード電極は静的であってよく、その軸を中心に回転可能であってよく、その軸に関して長手方向に可動であり、またはこれらの動きの組合せが可能であってもよい。ブレード電極は、尖っていなくてもよく、１つ以上の尖った縁部を有していてもよく、鈍い縁部を有していてもよく、またはこれらのうちいくつかを組合せたものであってもよい。ブレード電極が切開するのに使用されるように、使用者がそれらの握持を再配置する必要がないように人間工学的に配向されるように、垂直切開に使用されるように、横切開に使用されるように、またはこれらのうちのいくつかが行われるように、ブレード電極は任意の角度まで回転してもよい。ブレード電極は、約１５度以上、約３０度以上、約４５度以上、約６０度以上、またはさらには約９０度以上の角度で回転してもよい。ブレード電極は、約２７５度未満、約２２５度未満、約２０５度未満、または約１８０度未満の角度で回転してもよい。ブレード電極が回転すると電力がブレード電極を介して印加され得るように、ブレード電極は回転中に完全な回路を維持し得る。
【００４９】
ブレード電極、双極電極、または両方は、組織と接触している場合に回路を完成してもよい。双極電極は、２つの対向する動作アームを有していてもよく、組織は動作アームに電気的に接続してもよく、２つのアーム間に電気ブリッジを形成してもよく、または両方を行ってもよい。ブレード電極は単一のブレード電極（すなわち、単極動作アーム）を有していてもよく、組織はブレード電極をリターン電極と電気的に接続してもよく、ブレード電極とリターン電極との間の電気ブリッジとしての機能を果たしてもよく、ブレード電極と双極電極の一方もしくは両方との間の電気ブリッジとしての機能を果たしてもよく、またはこれらのうちのいくつかを行ってもよい。ブレード電極は、進出すると、回路とスイッチの一方または両方を起動してもよい。
【００５０】
回路は、単極構成と双極構成の一方または両方の間でスイッチングするスイッチを有していてもよい。スイッチは、双極電極の１つ以上を起動しかつ接地パッド（すなわち、リターンパッド）の動作を停止してもよく、もしくは逆もまた同様であり；１つ以上の双極電極を起動しかつブレード電極の動作を停止してもよく、もしくは逆もまた同様であり；１つの双極電極の動作を停止しかつ双極電極を開いた（電力が供給されていない）ままにしてもよく；ブレード電極の動作を停止しかつブレード電極を開いたままにしてもよく；両双極電極の動作を停止しかつブレード電極およびリターン電極を起動してもよく、もしくは逆もまた同様であり；接地パッドの動作を停止してもよく；双極電極、およびブレード電極の全ての動作を停止してもよく；またはそれらの組合せを行ってもよい。ブレード電極と双極電極の１つ以上のいずれかまたはこれらのうちのいくつかは、交流電流電源と直流電流電源の一方または両方に接続されていてもよい。ブレード電極と双極電極の一方または両方は交流電流電源に接続されていることが好ましい。ブレード電極には、電気手術デバイスが双極構成にある場合、双極電極間に位置されなくてもよい。ブレード電極は、単極構成にある場合、双極電極間に配置されていてもよく、双極電極を越えて延長されていてもよく、静的であってよく、かつブレード電極が動作アームを越えて延長されるように格納された動作アームであってもよく、またはこれらのうちいくつかであってもよい。双極電極は、単極構成にある場合、周囲領域とハンドピースの一方または両方からブレード電極を電気的に絶縁するように作用してもよい。
【００５１】
ハンドピースは、制御ボタンの１つ以上、１つ以上のスイッチ、１つ以上の電気コネクタ、１つ以上のダイオード、１つ以上のコンデンサのいずれかまたはこれらのうちのいくつかを収容している、使用者が把持するデバイスの任意の部分であってもよい。ハンドピースは、制御回路の全部または一部分、中央処理装置、または両方を収容していてもよい。ハンドピースは、電気手術デバイスと電気システムの一方または両方をジェネレータに電気的に接続してもよい。ハンドピースは、電気手術デバイスの機能要素を物理的に接続している、かつ電気手術デバイスの要素を電気的に接続している、の両方であってもよい。ハンドピースは、回路の全部または一部分を収容しており、起動回路を含む、１つ以上の制御ボタンを含む、またはそれらの組合せを行う、電気手術デバイスの本体部分、２つ以上の動作アーム間の部分、２つ以上の動作アーム間のコネクタであってもよい。ハンドピースは、外科医が握持し、１つ以上のボタンを押して所望の位置に電力を印加する部分であることが好ましい。ハンドピースは、ボタン、および電気手術デバイス、動作アーム、ブレード電極、またはこれらのうちのいくつかに電力を供給する１つ以上の電気コネクタの両方を含む中心部であることがより好ましい。ハンドピースは、１つ以上の可動部材、１つ以上のハンドピース構成要素、または両方を含んでいてもよい。
【００５２】
１つ以上の可動部材は、２つ以上の位置間で動かされ得る、ハンドピースの任意の部分であってもよい。１つ以上の可動部材は、第１の位置と第２の位置との間で動かされてもよい。１つ以上の可動部材は単極構成と双極構成との間で移動させられてもよい。１つ以上の可動部材は、電気的に再構成されてもよく、機械的に再構成されてもよく、またはこれら両方が行われてもよい、電気手術デバイスおよび／または電気手術システムの任意の部分であってもよい。１つ以上の可動部材は、単極電極、第１の動作アーム、第２の動作アーム、接地パッドのいずれかまたはこれらのうちいくつかであってもよい。１つ以上の可動部材は、第１の電力コネクタと第２の電力コネクタの一方または両方に電気的に接続されていてもよい。可動部材が選択的に構成される、機械的に構成される、またはそれら各構成要素と同一の構成において両方が行われるように、可動部材は、単極電極と双極電極の一方または両方に関して本明細書において検討されている位置の１つ以上と、本明細書において検討されている１つ以上のスイッチ状態間の起動回路との間で動かされてもよい。１つ以上の可動部材はハンドピース構成要素であってもよい。
【００５３】
１つ以上のハンドピース構成要素は、ハンドピースに直接電気的に接続されている、物理的に接続されている、上に担持されている、またはこれらのうちいくつかが行われている任意のデバイスであってもよい。１つ以上のハンドピース構成要素は、ハンドピースを機械的に再構成したり、ハンドピースにより機械的に再構成されたり、ハンドピースに沿って動かされたり、ハンドピースからの治療電流を印加したり、またはこれらのうちのいくつかを行う、任意の構成要素であってもよい。１つ以上のハンドピース構成要素は、電力、信号、治療電流、またはそれらの組合せが、介在するデバイスを通って移動することなく、ハンドピース構成要素からハンドピースへまたはそれから直接流れるように、ハンドピースに電気的に接続されていてもよい。ハンドピース構成要素は、ハンドピースとは分離して配置されていてもよいが、電気的に接続されていてもよい。１つ以上のハンドピース構成要素およびハンドピースは、ハンドピースおよびハンドピース構成要素がいくつかの構成において電気的に接続されておりかついくつかの構成において電気的に切断されているように、電気的に再構成可能であってもよい。１つ以上のハンドピース構成要素は、ブレード電極、第１の動作アーム、第２の動作アーム、接地パッド、シャトル、単極電極、１つ以上の双極電極のいずれかまたはこれらのうちのいくつかであってもよい。一構成では、接地パッドはハンドピースとは別々に配置されていることが好ましいが、ハンドピースが単極構成にある場合に接地パッドが電気的に起動されるように、接地パッドはハンドピースに直接電気的に接続されていることが好ましい。ハンドピース構成要素が電源、治療電流、ジェネレータのいずれかまたはこれらのうちいくつかに直接電気的に接続されていないように、ハンドピースは１つ以上のハンドピース構成要素に電力を供給してもよい。
【００５４】
電力コネクタは、電気手術システムと電気手術デバイスの一方または両方が電気手術に使用され得るように、電源から電気手術システムと電気手術デバイスの一方または両方へ、電力と治療電流の一方または両方を供給する任意のデバイスであってもよい。電気手術システム、電気手術デバイス、ハンドピースのいずれかまたはこれらのうちいくつかは、電気手術システム、電気手術デバイス、ハンドピースのいずれかまたはこれらのうちいくつかに電力を供給する、１つ以上の、好ましくは２つ以上の、または最も好ましくは２つの電力コネクタを含んでいてもよい。治療電流は、電気手術デバイスにより印加されかつ所定の機能を実施する任意の電流であってもよい。治療電流は、単極電力、双極電力、凝固、切開、止血のいずれかまたはこれらのうちいくつかであってもよい。治療電流は、電気手術デバイスにより生成される任意の電力印加であってもよい。治療電流は、１つ以上の電力コネクタから電気手術デバイス内へおよびそれを通って流れる任意の電力印加であってもよい。治療電流は電圧源から供給されてもよい。電圧源は、本明細書において検討されている機能の１つ以上を実施する任意のエネルギー供給源であってもよい。電圧源は直流電流電圧源であってもよく、電圧源は交流電流電圧源であることが好ましい。電力コネクタは、電線とコンダクタの部品の一方または両方であってもよい。電気手術デバイスは、１つ以上の電力コネクタ、好ましくは２つ以上の電力コネクタ、より好ましくは３つの電力コネクタ、またはさらには４つ以上の電力コネクタを含んでいてもよい。例えば、３電力コネクタシステムでは、電力コネクタは正のピン（ｐｏｓｉｔｉｖｅ  ｐｉｎ）、負のピン（ｎｅｇａｔｉｖｅ  ｐｉｎ）、リターンピンのいずれかまたはこれらのうちのいくつかに接続されていてもよい。別の例では、４電力コネクタシステムでは、電力コネクタは双極陽極のピン、双極陰極のピン、単極アクティブピン（ａｃｔｉｖｅ  ｐｉｎ）、単極リターンピンのいずれかまたはこれらのうちいくつかに接続されていてもよい。電力コネクタの各々は、電源、ジェネレータ、または両方に直接接続されていてもよい。例えば、電気手術デバイスが３つの電力コネクタを有しかつジェネレータが３つの電力接続部（例えば、電力ポート）を有する場合、各電力コネクタは、それ自体の電力接続部内に別個にプラグが差し込まれていてもよい。各電力コネクタは、電気手術デバイスの単一の構成要素に電気的に接続されていてもよい。電力コネクタの１つからの治療電流および／または電力が電気手術デバイスの２つ以上の構成要素に供給され得るように、電気手術デバイスに電力を供給する２つの電力コネクタが存在すること、および電気手術デバイスは、第１の位置と第２の位置との間で、第１のスイッチ状態と第２のスイッチ状態との間で、またはこれら両方で電気的に再構成されることが好ましい。例えば、ハンドピースが第１の位置にある場合、第１の電力コネクタからの電力は第１の動作アームに供給されてもよく、第２の電力コネクタからの電力は第２の動作アームに供給されてもよく、ハンドピースが第１の位置内に移動した場合、第１の電力コネクタはブレード電極に電気的に接続されてもよく、第２の電力コネクタは接地パッドに電気的に接続されてもよい。電力コネクタの１つ以上が電源に間接的に接続されていてもよい。例えば、ジェネレータが２つの電力接続部を含みかつ電気手術デバイスが３つの電力コネクタを含む場合、電力コネクタの２つは電気的に接続されていてもよく、電力コネクタ内にプラグが差し込まれていてもよい。２つ以上の電力コネクタはジャンパにより電気的に接続されていてもよい。
【００５５】
電力コネクタがジェネレータに電気的に接続され得るように、信号的に接続され得るように、またはこの両方が行われるように、ジャンパは２つ以上の電力コネクタを電気的に接続するように機能してもよい。２つ以上の電気コネクタがジェネレータに接続されてもよいように、ジャンパはジェネレータの外側で２つの電気コネクタを接続する任意のデバイスであってもよい。ジャンパは、２つ以上の電気コネクタを電源とジェネレータの一方または両方に接続することを補助する任意のデバイスであってもよい。単一のポートが使用されて、構成要素、電線、コネクタのいずれかまたはこれらのうちのいくつかに電力を供給してもよいように、ジャンパは、構成要素、電線、コネクタのいずれかまたはこれらのうちのいくつかに電気的に接続してもよい。電力コネクタの２つ以上は、１つ以上のコネクタにより、ハンドピース、ジェネレータ、または両方の内側で電気的に接続されていてもよい。
【００５６】
１つ以上のコネクタは、２つの電気コネクタを共に内部接続する任意のデバイスであってもよい。両動作アームを通して電力が印加されるように、完全な回路が形成されるように、または両方が行われるように、１つ以上のコネクタは使用中に２つ以上の動作アームを電気的に接続してもよい。１つの電気コネクタが使用されて両動作アームを電気的に接続しかつ１つの電気コネクタが接地パッド、ブレード電極または両方などの別の構成要素まで延長されるように、１つ以上のコネクタは動作アームの両方を共に電気的に接続してもよい。
【００５７】
電気手術デバイス、起動ボタン、ハンドピース、起動回路のいずれかまたはこれらのうちいくつかは、１つ以上のダイオードを含んでいてもよい。ジェネレータが電力を供給されている起動モードを判定し得るように、起動ボタンの押圧時とスイッチの移動時の一方または両方の時、ジェネレータと電気手術デバイスの一方または両方が、周波数と周波数の変化の一方または両方を測定するように、ダイオードは任意の構成にあってもよい。ハンドピース、電気手術デバイス、起動ボタンのいずれかまたはこれらのうちのいくつかのどのスイッチが開いているか、閉じているか、またはこの両方についてジェネレータが判定し得るように、２つ以上の異なる周波数と周波数の推移の一方または両方が生成されるように、１つ以上のダイオードが異なっていることが好ましい。
【００５８】
電気手術デバイス、ジェネレータ、ハンドピースのいずれかまたはこれらのうちのいくつかは、１つ以上の変圧器を含んでいてもよい。１つ以上の変圧器を通る電流路、１つ以上の変圧器の周囲の電流路、または両方の電流路に応じて、ハンドピース、電極、動作アームのいずれかまたはこれらのうちのいくつかまで供給される電圧が変化し得るように、１つ以上の変圧器は任意の大きさおよび形状であってもよい。例えば、単極構成にある場合、電圧は電極に直接送られてもよく、双極構成にある場合、変圧器は、動作アームに送られる電圧を漸減してもよい。逆に、変圧器は１つ以上の電極に送られる電圧を増大させるのに使用されてもよい。
【００５９】
本明細書において検討されている通り、種々の回路が、電気手術デバイスの１つ以上の構成要素を電気的に再構成すること、電気手術デバイスの１つ以上の構成要素を物理的に構成すること、または両方を行うことにより作り出されてもよい。使用中、１つ以上の開回路と１つ以上の閉回路の一方または両方が形成されてもよいように、１つ以上のスイッチが開かれてもよいかつ／または閉じられてもよい。例えば、動作アームに電力が供給されないように、回路が完成されかつ電源と動作アームとの間に開回路が作り出され得るように、ブレード電極と電源との間におよび接地パッドと電源との間に接続が形成されるように、シャトルおよびブレード電極が前方に進出してもよい。２つ以上の構成要素間に回路が作り出されかつ電気手術デバイスが所望のタイプの電気手術に使用され得るように、回路は構成されていてもよい。電気手術器具は、ブレード電極から１つ以上の動作アーム、両動作アーム、接地パッドのいずれかまたはこれらのうちのいくつかへ電力が流れるように構成されていてもよい。電気手術デバイスは、一方の動作アームから別の動作アームへ、１つ以上の動作アームからブレード電極へ、１つ以上の動作アームから接地パッドへ、またはこれらのうちいくつかで電力が流れるように構成されていてもよい。電気手術デバイスは、１つ以上の電力コネクタ、好ましくは２つ以上の電力コネクタ、より好ましくは３つ以上の電力コネクタを備えて構成されてもよい。電力コネクタの各々は、１つ以上の構成要素、２つ以上の構成要素、またはさらには３つ以上の構成要素に接続されていてもよい。各電力コネクタは、１つ以上の構成要素、２つ以上の構成要素、またはさらには３つ以上の構成要素間でスイッチングされてもよい。本方法は、ブレード電極、切開アーム、または両方を不動化するステップを含んでいてもよい。本方法は、１つ以上の双極電極、１つ以上の電極、または両方を同時に固定化するステップを含んでいてもよい。
【００６０】
双極構成、単極構成、非電気手術構成のうち２つまたは３つの構成間での構成変化において、電気手術デバイスをスイッチングする方法。本方法は、本明細書において検討されているステップの１つ以上を、事実上任意の順序で含んでいてもよい。本方法は、シャトルを前進させる、ブレード電極を進出させる、シャトルを格納する、ブレード電極を格納する、接地パッドを適用する、接地パッドを除去する、回路を再構成する、またはこれらのうちのいくつかを行うステップを含んでいてもよい。本方法は、単極電力を印加し、次いで直後に双極電力を印加するステップを含んでいてもよい。本方法は、非電気手術構成において切開し、次いで単極電力または双極電力のどちらかを印加して、機器を変更するステップなしで、凝固させ、焼灼し、または両方を行うステップを含んでいてもよい。本方法は、単極構成において切開し、次いで機器を交換するステップなしで、双極エネルギーを使用して、凝固させ、焼灼し、または両方を行うステップを含んでいてもよい。
【００６１】
図１は電気手術デバイス２を示す。電気手術デバイス２は、双極構成（または双極形態）１００を採り得て、この構成では電気手術デバイスは鉗子４である。鉗子４は、一対の動作アーム６を備えたハウジング８０を含み、動作アーム６は、シャトル２０が双極位置２４にあるとき、双極構成１００である鉗子４として維持される。ハウジングは、電力が偶発的な接触により漏出しないように、動作アーム６の長さ方向の少なくとも一部に沿って、動作アーム６のアクティブ部を覆っている。シャトル２０が双極位置２４（例えば、第１の位置）に在るとき、双極起動ボタン４０は露出されていて、この双極起動ボタン４０を押すと電力コネクタ５２を介して電力が鉗子４へ流れかつ一対の動作アーム６間に流れる。ハウジング８０は、動作アーム６が互いに対して移動することを可能にするヒンジ部２２０を含み、一方でハウジングが動作アームの電極を覆っている。ハウジング８０は、電気手術デバイス２の近位端上の剛体静止セクション２２２と電気手術デバイス２の遠位端上の可動セクション２２４とを有するヒンジ部２２０により分割され、動作アーム６が互いに対して可動となっている。図示の通り、ヒンジ部２２０は略「Ｔ」形状であり、電気手術デバイス２の近位端上の剛体接続部２２６と電気手術デバイス２の遠位端上の可動接続部２２８とを有する。ヒンジ部２２０は、電気手術デバイス２の動作アームおよび中心部の両方を覆うハウジング８０による保護を維持すると同時に、アームが互いに対して動くことを可能にする。図示の通り、ハウジング８０の可動セクション２２４は把持部８８を含み、使用者が把持部加圧すると動作アームが閉じる。
【００６２】
図２Ａは、単極構成（または単極形態）１０２に変形された図１の電気手術デバイス２を示す。電気手術デバイス２は、ブレード電極２６がハウジング８０に沿ってスライドするシャトル２０により前方に動かされかつブレード電極２６が動作アーム６間で不動化された場合、単極構成１０２に変更される。シャトル２０は、単極位置２２（例えば、第２の位置）へと前方にスライドし、１つ以上の単極起動ボタン４２が露出されかつ双極起動ボタンが覆われる。単極起動ボタン４２が押されると、電力がブレード電極２６からリターン電極（図示せず）へと送られる。
【００６３】
図２Ｂは、単極位置２２にて不動化されているブレード電極２６および動作アーム６の拡大図を示す。
【００６４】
図２Ｃは、進出した位置にあるブレード電極２６を備えた、図２Ａの電気手術デバイス２の横断面図を示す。ブレード電極２６は、ブレード電極と共に前方へ進出することによって接触部５６がばねピン２５０と位置合わせされる絶縁体スリーブ５４を含む。ばねピン２５０はプリント基板２６０に接続されており、当該プリント基板は双極起動ボタン４０および単極起動ボタン４２と情報伝達可能に接続されている。ばねピン２５０は、ブレード電極２６との接触を維持するばね部２５２を含み、ばねピン２５０が接触部５６に接触しているときにブレード電極２６を通して電力が供給される。
【００６５】
図２Ｄ１は、ブレード電極２６が完全に進出しているときの、ブレード電極２６の接触部５６と接触しているばねピン２５０の拡大図を示す。ばねピン２５０はプリント基板２６０からブレード電極２６へと電力を送るものであり、それにより双極起動ボタン４０と単極起動ボタン４２の一方または両方が使用者により起動されたときにブレード電極２６にエネルギーが供給される。
【００６６】
図２Ｄ２は、（図１に示されている通り）ブレード電極２６が完全に格納されているときの、ブレード電極２６の絶縁体スリーブ５４と接触しているばねピン２５０の拡大図を示す。ばねピン２５０は絶縁体スリーブ５４によってプリント基板２６０から電力が送出しないようにされ、それにより双極起動ボタン４０と単極起動ボタン４２の一方または両方がアクティブのままであるか、使用者により起動されたかのいずれか又は両方の場合に、ブレード電極２６により漏洩電流が生成されないようにしている。
【００６７】
図３Ａは図２および図３の電気手術デバイス２の分解図を示す。電気手術デバイス２は、構成要素が可動でありかつ治療電流を生成するように機能するように、結合されると構成要素の全てを保持するハウジング８０を含む。ハウジング８０は、治療電流を生成するために一部のみが露出されるように、動作アーム６を実質的に取り囲んでいる。内側ハウジング８６が、動作アーム６およびブレード電極２６へ電力を供給する電力コネクタ５２を収容している。内側ハウジング８６は、組み立てられると、ブレード電極２６に接続されているシャトル２０の貫通孔３２を通って延在している。また、内側ハウジング８６は、双極起動ボタン４０および単極起動ボタン４２に電気的に接続されている複数のセンサ４４を備えたプリント基板２６０を含有し、電気手術デバイス２が双極構成にある場合にボタンが押されるとばねピン２５０を介して所望の位置に電力が供給される。電力接続部５２は、壁および／またはジェネレータ（図示せず）にプラグを差し込む一対の電力コネクタ１０で終端している。
【００６８】
図３Ｂはばねピン２５０の拡大図を示す。ばねピン２５０は、本体部２５６を接触アーム２５８に接続するばね部２５２を含む。接触アーム２５８は、ブレード電極が完全に進出されたとき、ブレード電極２６（図示せず）と接触し電力を供給するように動かされる。本体部２５６は、ばねピン２５０をプリント基板（図示せず）に接続する一対の接続アーム２５４を含む。
【００６９】
図４は別の電気手術デバイス２を示す。電気手術デバイス２は双極構成１００にある。図示の通り、電気手術デバイス２は、一対の動作アーム６を有する鉗子４として構成されている。図示の通り、シャトル２０は、前進して双極位置２４にあり一方の動作アーム６に接続され、動作アーム６の両方が自由でありかつ動作アーム６が付勢され、双極構成１００において使用され得る。シャトルが後方位置に移動したときには、動作アーム６は一緒に押しつけられ、不動化されて、単極電極および／またはブレード電極を形成する。
【００７０】
図５は、図４に示されている電気手術デバイス２の底面図である。図示の通り、電気手術デバイス２は、動作アーム６の対が広げられて鉗子４を形成している状態であり、双構成１００にある。動作アーム６はそれぞれ、ハウジング８０から延在している不動化アーム８２と、これらの不動化アーム８２を分離する楔８４とを含み、双極構成１００から単極構成１０２（図示せず）へ変形されたとき、動作アーム６が動かされて互いに接触しかつ不動化される。
【００７１】
図６は本明細書における教示の電気手術デバイス２の別の例を示す。電気手術デバイス２は、電気手術デバイスが鉗子４である双極構成１００を含む。鉗子４は、シャトル２０が双極位置２４にあるとき、双極構成１００において鉗子４のままである一対の動作アーム６を備えたハウジング８０を含む。ハウジングは、偶発的な接触により電力が漏洩しないように、動作アーム６の長さ方向の少なくとも一部に沿って動作アーム６のアクティブ部を覆っている。シャトル２０が双極位置２４（例えば、第１の位置）に留まっているとき、双極起動ボタン４０は、双極起動ボタン４０を押すと動作アーム６の対間に電力が流れるように露出されている。
【００７２】
図７は、鉗子４としての構成をとっている図６の電気手術デバイス２の底面図を示す。電気手術デバイス２は、動作アーム６の大部分を覆っているハウジング８０を含む。ハウジング８０は、ハウジング８０から延在している一対の不動化アーム８２を含み、楔８４が前進するとブレード電極２６が前進しかつ動作アーム６が不動化される。不動化アーム８２に近接して、ヒンジ部２２０がハウジング８０に存在する。ヒンジ部２２０は、ヒンジ部２２０の近位側に剛体接続部２２６と、ヒンジ部２２０の遠位側に可動接続部２２８とを含む。
【００７３】
図８は、楔８４を含むシャトル２０の底面斜視図を示す。シャトル２０はブレード電極２６に接続されている。
【００７４】
図９はスライダ組立体１３０を備えた電気手術デバイス２の例を示す。図示の通り、電気手術デバイス２は、動作アーム６に接続されているハウジング８０を有する。動作アーム６は、シャトル２０を含むスライダ１３０に接続されている。シャトル２０は、動作アーム６、および一対のラック１３２間に嵌合されている２つのピニオン１３４に接続されている。各ピニオン１３４はラック１３２に接触しており、方向１３６のシャトル２０の移動が、シャトル２０の移動とは反対方向である方向１３８に、動作アーム６をその軸に沿って移動させる。２個のピニオン１３４は異なる大きさを有し、ギアによる減速が生じ、移動に際し、動作アーム６の移動距離がシャトル２０の移動距離より大きくなる。電気手術デバイス２は双極起動ボタン４０と単極起動ボタン４２とを含む。
【００７５】
図１０は単極構成１０２にある電気手術デバイス２を示す。図示の通り、ブレード電極２６は単極位置２２へ前進し、動作アーム６はブレード電極２６上の単極絶縁体３０と接触し、これにより単極絶縁体３０が動作アーム６を不動化している。図示の通り、動作アーム６は単極絶縁体３０の部分へと延びており、単極絶縁体３０により不動化されており、また、単極絶縁体は、動作アーム６の先端が単極絶縁体３０により覆われているときには、実質的に電流が動作アーム６から漏洩しないようにする。また、動作アーム６は、動作アーム６のある長さの部分を絶縁する絶縁体９０により覆われており、動作アーム６の先端は単極絶縁体３０により覆われて、それにより漏洩電流の実質的に全部が絶縁され、漏洩が防止されている。付勢デバイス５０が、ブレード電極が単極位置２２へと動かされた場合に圧縮され、付勢デバイス５０の解除時にブレード電極２６を格納することを補助する。
【００７６】
図１１は、双極構成１００にある、図１０の電気手術デバイス２を示す。図示の通り、ブレード電極２６は、後方の双極位置２４へと格納され、単極絶縁体３０が２つの動作アーム６間に配置されている。ブレード電極２６が完全に格納されたとき、付勢デバイス５０は完全に伸張している。動作アーム６は分離されており、鉗子４としてかつ双極電力で使用され得る。動作アーム６は、動作アーム６のある長さの部分に延在している絶縁体９０をさらに含み、各動作アーム６の先端は露出されている。
【００７７】
図１２は、単極構成１０２にある電気手術デバイス２の別の実施の可能性がある構成を示す。図示の通り、シャトル２０は、ブレード電極２６が動作アーム６のブレード電極チャネル４６を通って前進するように、単極位置２２へと前進する。電気手術デバイス２は、端部に電力コネクタ５２を含み、これにより使用中に電気手術デバイス２に電力が供給される。
【００７８】
図１３は、双極構成１００にある、図１２の電気手術デバイス２を示す。電気手術デバイス２は、双極位置２４へと後退させられたシャトル２０を有し、それにより動作アーム６が離れ、鉗子４として使用され得る。ブレード電極２６は、シャトル２０によりブレード電極チャネル４６内に格納され、ブレード電極２６が露出しないようにされている。電力コネクタ５２は、デバイスに電力を供給するために電気手術デバイス２の端部にある。
【００７９】
図１４は図１２および図１３の動作アーム６の端面図を示す。図示の通り、動作アーム６の一方は、動作アーム６を通って延在している単極電極チャネル４６を含む。
【００８０】
図１５は、動作アームは中実であり、チャネルがない、図１〜図７および図１０〜図１１の動作アームの端面図を示す。
【００８１】
図１６および図１７は１つの実施の可能性がある単極構成１０２の端面図を示し、そこではブレード電極２６の配向は水平単極切開構成１０４（図１６）と垂直単極切開構成１０６（図１７）との間で可変である。図示の通り、動作アーム６は２つの材料で作製されている。動作アーム６の外側部分は断熱性９０を有する材料で作製されており、内側部分は高熱伝導性９２を有する材料で作製されている。ブレード電極２６の外側部分は、断熱性９０を有し、中心は不十分な熱伝導率９４を有する。
【００８２】
図１８Ａおよび図１８Ｂは、双極構成１００において使用中の電気手術デバイス２を示す。図１８Ａは、断熱性９０を有する材料部分および高熱伝導性９２を有する材料を有する動作アーム６の対を示す。動作アーム６は組織２００と接触し、電力が組織２００を通って一方の動作アーム６から他方の動作アーム６へ流れる。
【００８３】
図１８Ｂは、電気手術デバイス２の想定される１つの双極回路構成１００を示す回路図である。電気手術デバイス２は電圧源６４に接続されており、電力がスイッチ６０Ａを通って電圧源６４から一方の動作アーム６へ、かつ電圧源６４からスイッチ６０Ｂを通って他方の動作アーム６へ流れる。スイッチ６０Ａおよび６０Ｂが双極構成１００に動かされた場合、開回路６２Ａおよび６２Ｂは、接地パッドを含む回路の単極構成に電力が流れないように形成される。図示の通り、ブレード電極２６は、動作アーム６間から格納され、電力６８は動作アーム６の間を、またそれらの間に配置されている任意の組織２００（図示せず）内を流れる。
【００８４】
図１９Ａおよび図１９Ｂは、単極構成１０２にある電気手術デバイス２を示す。図１９Ａは、接地パッド６６への電力流６８を有するブレード電極２６を示す。電力６８は、ブレード電極２６から組織２００（図示せず）を通って接地パッド６６へ流れる。
【００８５】
図１９Ｂは、電気手術デバイス２の想定される１つの単極回路構成１０２を示す回路図を示す。電気手術デバイス２は電圧源６４に接続されており、電力は、電圧源６４から電流はスイッチ６０Ａを通って接地パッド６６へ、かつ電圧源６４からスイッチ６０Ｂを通ってブレード電極２６へ流れる。スイッチ６０Ａおよび６０Ｂが単極構成１０２へと動かされた場合、開回路６２Ａおよび６２Ｂは、回路の双極構成および動作アーム６に電力が流れないように形成される。ブレード電極２６に電力が印加された場合、電力６８はブレード電極２６から接地パッド６６へ流れる。
【００８６】
図２０Ａ１から図２０Ａ３までは、双極構成１００におけるピンセット５としての電気手術デバイス２の回路図を示す。電気手術デバイス２は電圧源６４に接続されている。図２０Ａ１は、動作アーム６とブレード電極２６との間で動くスイッチ６０と、動作アーム６と接地パッド６６との間で動くスイッチ６０とを含む。図示の通り、スイッチ６０は、２つの動作アーム６間に電力が流れるようにかつブレード電極２６および接地パッド６６が開いているように、動作アーム６の両方へ電力を供給している。２つの動作アーム６は、それらの間にスイッチ６０を有する接続線７０を介して電気的に接続されている。
【００８７】
図２０Ａ２は、電圧源とブレード電極２６と動作アーム６との間のスイッチングを交換する中央処理装置７４を含む。中央処理装置７４は、図示の通り電力６８が動作アーム間で流れるように、ピンセット５のブレード電極２６および／または動作アーム６へ供給される電力を制御する。中央処理装置７４は接地パッド６６およびブレード電極２６をオフにし、動作アーム６をオンにした。接地パッド６６は中央処理装置７４から延びている。
【００８８】
図２０Ａ３は、組織２００を把持しているピンセット５として構成されているハイブリッド双極構成１００にある電気手術デバイス２を示す。組織２００は、ブレード電極２６から組織２００を通って動作アーム６へ電力が流れるように、２つの隣接した動作アーム６を電気的に接続する。接続線７０のスイッチ６０は、両動作アーム６が電力を供給され、共に電気的に接続されるように閉じられており、ブレード電極２６は電気的に接続されている。電力が一方の動作アーム６へ直接流れないように、かつスイッチ６０がブレード電極２６に電力を供給しないように、動作アーム６の一方と電源６４との間に開放６２がある。動作アーム６とブレード電極２６との間に電力が流れるように、組織２００を介してブレード電極２６と電源６４との間のスイッチ６０は閉じられている。
【００８９】
図２０Ｂから図２０Ｄまでは、種々の単極構成１０２にある電気手術デバイス２を示す。図示の通り、ブレード電極２６は動作アーム６間で不動化されている。図２０Ｂは切開のためのハイブリッド単極構成１０２である。スイッチ６０が電源６４とブレード電極２６との間で閉じられ、ブレード電極から２つの動作アームへ電流６８が流れる。一方の動作アーム６が電源６４に直接接続されており、他方の動作アームに近いスイッチ６０はスイッチ６０が動かされてブレード電極２６に電力を供給するために開状態６２にある。デバイスが単極構成と双極構成との間でスイッチングされた時に２つの動作アーム６間の電気接続が開閉され得るように、２つの動作アーム６はスイッチ６０を含む接続線７０を介して電気的に接続されている。接地パッド６６は、電力が接地パッド６６を通って流れないように開状態６２にある。
【００９０】
図２０Ｃは、ハイブリッド単極構成１０２／双極構成１００にある電気手術デバイス２を示す。図示の通り、両スイッチ６０は、電源６４から両動作アーム６へ電力が供給されるように閉じられており、ブレード電極２６または接地パッド６６へ電流が流れないように、開放６２が両方のブレード２６と接地パッド６６の間に存在する。電力６８の流れは、ブレード電極２６の周囲で、一方の動作アーム６から他方の動作アーム６へ向かう。スイッチ６０を含む接続線７０は動作アーム６間に延在している。
【００９１】
図２０Ｄは、単極構成１０２にある電気手術デバイス２を示す。図示の通り、ブレード電極２６を通って電力が流れるように、スイッチ６０が電源６４とブレード電極２６との間に配置されており、完全な回路が形成されるように、電流６８が別のスイッチ６０を通って接地パッド６６へ流れている。スイッチ６０が接地パッド６６およびブレード電極２６に電力を供給するとき、動作アーム６は電圧源と切り離し状態６２にあり、電力が動作アーム６を通って流れないが動作アームがブレード電極２６を機械的に不動化している。２つの動作アーム６は、スイッチ６０を含む接続線７０により電気的に接続されている。
【００９２】
図２１は、ジェネレータ８に接続されている電気手術デバイス２を示す。図示の通り、ジェネレータ８は２つの電力コネクタ１０を含むのみである。電気手術デバイス２は一方の電力コネクタ１０を介してジェネレータ８に接続されており、接地パッド６６は異なる電力コネクタ１０を介してジェネレータ８に接続されており、２つの電力コネクタ１０はジャンパ１２により電気的に接続されている。
【００９３】
図２２Ａ〜図２２Ｃは、ジェネレータ８と電気手術デバイス２との間の種々の回路構成を示す。ジェネレータ８は、ハンドピース１２０に接続されている中央処理装置を含む。使用者は、双極構成１００（図２２Ａ）と単極構成１０２（図２２Ｂおよび図２２Ｃ）との間で、電気手術デバイス２を変更することができ、双極構成１００への構成の変更は、１つのスイッチが開状態６２にあり、かつ１つのスイッチ６０が閉状態にあるように、スイッチ６０を変更する。スイッチ６０が閉じられている場合に電力および／または制御信号がダイオード１２２を通過して電気手術デバイス２を制御するように、回路の各分岐がダイオード１２２を含む。ジェネレータ８は、接地パッド６６、動作アーム６、およびブレード電極２６に電気的に接続されている変圧器１２４をさらに含む。ジャンパ１２が接地パッド６６を動作アーム６の一方へ電気的に接続する。ジェネレータ８は、電気手術デバイス２から延びておりかつジェネレータ８にプラグが差し込まれている電力コネクタ１０を含む。ジェネレータ８は、閉じて接地パッド６６と電気的に接続し、開状態６２で接地パッドを切り離すスイッチ６０を含む。図２２Ａは、双極構成１００にある電気手術デバイス２を示し、変圧器１２４と動作アーム６の各々との間で方向１４０において電力が流れ、かつ電流６８が動作アーム６間に流れる。図２２Ｂは、単極凝固構成にある電気手術デバイスを示す。図示の通り、電力がブレード電極２６から接地パッド６６へ流れており、電力が変圧器１２４とブレード電極２６と接地パッド６６との間で方向１４０に流れている。図２２Ｃは、単極切開構成にある電気手術デバイス２を示し、単極電極２６から接地パッド６６へ電力６８が流れる。電力は、次いで、変圧器１２４とブレード電極２６と接地パッド６６との間で閉じたスイッチ６０を通って方向１４０に流れる。
【００９４】
図２３Ａおよび図２３Ｂは、ジェネレータ８（図示せず）に接続するための、延びている３つの電力コネクタ５２を有する電気手術デバイス２を示す。図２３Ａは、電気手術デバイス２が双極構成１００となるように、格納位置にあるブレード電極２６およびシャトル２０を示す。ハンドピース１２０は、間にブレード電極２６を備えた一対の動作アーム６を含む。また、ハンドピース１２０は、動作アーム６を電力コネクタ５２に接続する電気コネクタ７２を備えたシャトル２０を含む。図示の通り、動作アームに電力が供給されかつ電力６８が動作アーム６間に流れるように、正のピン５２Ａは電気コネクタ７２の第１の端部に接続しており、第２の端部は第１の動作アームに接続しており、負のピン５２Ｂは第２の電気コネクタ７２の第１の端部に接続しており、第２の端部は第２の動作アーム６に接続している。負のピン５２Ｂは、そこから延びている２つの電線を含み、負のピン５２Ｂが電気的に孤立されていない。負のピン５２Ｂからの一方の電線は、図示の双極構成において、電気コネクタ７２を通って動作アーム６に接続されており、負のピン５２Ｂからの他方の電線は、図２３Ｂに示されている単極構成にある場合、接地パッド６６に接続している。接地パッド６６はリターンピン５２Ｒに接続されており、リターンピン５２Ｒは、電力が接地パッド６６を通って流れないように切り離されている。
【００９５】
図２３Ｂは、ブレード電極２６が単極構成１０２にあるように前進した、ハンドピース１２０のシャトル２０を示す。ハンドピース１２０は、単極構成１０２において動作アーム６とブレード電極２６とを含む。動作アーム６は、動作アーム６に電力が供給されないように切り離されている。電力６８は、ブレード電極２６から接地パッド６６へ流れる。接地パッド６６は、リターンピン５２Ｒおよび負のピン５３Ｂに電気的に接続されている。電線が、リターンピン５２Ｒから、ハンドピース１２０のシャトル２０内の電気コネクタ７２を通って延びており、負のピン５２Ｂに接続している。正のピン５２Ａがハンドピース１２０内の第２の電気コネクタ７２に接続されているが、第２の電気コネクタ７２は第２の側に接続部がない。
【００９６】
図２３Ｃは、単極構成１０２にある電気手術デバイス２を示す。電気手術デバイス２は、一対の動作アーム６と、それらの間を延びているブレード電極２６とを備えたハンドピース１２０を含む。電力６８は、ブレード電極２６から接地パッド６６へ流れる。接地パッド６６はシャトル２０を通ってリターンピン５２Ｒに電気的に接続されている。シャトル２０は、シャトル２０を通って延びている電気コネクタ７２を含み、接地パッド６６をリターンピン５２Ｒに電気的に接続している。正のピン５２Ａが、ハンドピース１２０内のシャトル２０を通って延びている第２の電気コネクタ７２を介してブレード電極２６に接続している。負のピン５２Ｂおよびリターンピン５２Ｒは、図２３Ａおよび図２３Ｂと比較された場合、電気的に切り離されている。
【００９７】
図２４Ａ〜図２４Ｃは、電気手術デバイスをジェネレータ８に接続するためにハンドピース１２０から延びている２つの電力コネクタ５２を有する電気手術デバイス２を示す。また、電気手術デバイス２は、ハンドピース１２０に電力を供給する起動回路３００を含む。図示の通り、電気手術デバイス２には接地パッドがない。図２４Ａは、両電力コネクタ５２がハンドピース１２０に接続されている、双極構成１００にある電気手術デバイス２を示す。起動回路３００は、電圧源６４が電力コネクタ５２を介して電気手術デバイスに電力を送らないように、スイッチが開状態６２にあり、かつ信号が起動回路３００からポート１６０を通ってジェネレータ８へ流れないように、第１のスイッチ状態３１０にある起動ボタン３０２を含む。ブレード電極２６は開いているスイッチ６０を含み、ブレード電極２６が電気的に切断されている。動作アーム６に接続されているスイッチ６０は閉じられ、動作アームが電気的に接続されている。
【００９８】
図２４Ｂは、双極構成１００にある電気手術デバイス２、および動作アーム６間に流れる電力６８を示す。信号がポート１６０を通ってジェネレータ８内の内部スイッチおよび／または中央処理装置（ＣＰＵ）７４に送信されるように、起動回路３００上の起動ボタン３０２は第２のスイッチ状態３１２にあり、信号がポート１６０を通ってジェネレータ８内の内部スイッチおよび／または中央処理装置（ＣＰＵ）７４に送信される。内部スイッチおよび／またはＣＰＵ７４は電源６４を起動してハンドピース１２０に電力を供給させる。電力は、電力コネクタ５２を通って、方向３２０のようにスイッチ６０を通って流れ、動作アーム６に供給され、動作アーム６間に電力６８が流れる。ブレード電極２６のスイッチ６０は切断されており、ブレード電極２６には電力が供給されない。
【００９９】
図２４Ｃは、両電力コネクタ５２がハンドピース１２０とジェネレータ８とに接続し、起動回路３００がポート１６０によりジェネレータ８に接続されている、単極構成１０２にある電気手術デバイス２を示す。起動ボタン３０２は第２のスイッチ状態３１２にあり、信号が内部スイッチおよび／またはＣＰＵ７４へ送信され、それにより電力供給が開始されて電源６４から方向３２０のように流れる。ブレード電極２６は進出位置にあり、ブレード電極２６のスイッチ６０は動作アームに接続されており、ブレード電極２６に電力が供給される。他方のスイッチ６０は、一方の動作アームから他方の動作アームへ延びており、これにより両動作アームが電気的に接続され、かつ電力がブレード電極２６と両動作アーム６との間で移動できる。方向矢印は、図２４Ｂの双極構成と図２４Ｃの単極構成との間のスイッチ６０の動きを示す。
【０１００】
図２５Ａ〜図２５Ｃは、電気手術デバイス２のハンドピース１２０の内部の種々の電気的構成を示す。ハンドピース１２０は、一対の動作アーム６と、動作アーム６間を延在しているブレード電極２６とを含み、ハンドピース１２０はジェネレータ８に接続されている。ハンドピース１２０は、ジェネレータ８に接続されている起動回路３００により制御される。図示の通り、電気手術デバイス２には、ブレード電極に接続されている接地パッドおよびスイッチがない。図２５Ａは、オフである電気手術デバイス２を示す。起動回路３００の起動ボタン３０２は第１のスイッチ状態３１０にあり、信号がポートを通ってジェネレータ８へ流れずかつ内部スイッチおよび／またはＣＰＵ７４と通信しない開状態６２にある。内部スイッチおよび／またはＣＰＵ７４は、電源６４から電力コネクタ５２を通り動作アーム６および／またはブレード電極２６へと入る電流を制御する。図示の通り、電力が印加された場合に両動作アームに電力が供給されるように、スイッチ６０は閉じられている。
【０１０１】
図２５Ｂは、起動ボタン３０２が第２のスイッチ状態３１２に動かされたときの、電力が供給される図２５Ａの電気手術デバイス２を示す。起動ボタン３０２が閉じられた場合、信号が起動回路３００から内部スイッチ部および／またはＣＰＵ７４へ送信され、それにより電力の供給が開始されて、方向３２０のように電源６４から電力コネクタ５２を通って動作アーム６へ送られる。電力は動作アーム６の対間で方向６８に流れる。
【０１０２】
図２５Ｃは、矢印で示されるように、第２の動作アーム６からブレード電極２６へ動かされているスイッチ６０を示し、それにより第２の動作アーム６がオフにされ開状態６２を維持され、かつブレード電極２６に電力が供給される。電力はジェネレータ８から方向３２０のように流れ、ブレード電極に電力が供給されかつ電力６８がブレード電極２６から動作アーム６へ流れる。
【０１０３】
図２６Ａから図２６Ｃまでは電気手術デバイス２の更なる構成を示す。電気手術デバイスは、接地パッド６６と、ハンドピース１２０と、起動回路３００とを含む。図２６Ａはオフにされている電気手術デバイス２を示す。図示の通り、起動回路３００上の起動ボタン３０２は第１のスイッチ状態３１０にあり、開状態６２となり、ハンドピース１２０に電力を供給しているジェネレータ８に信号が送信されない。さらに、動作アームが閉じたスイッチ６０により接続されるようにスイッチ６０が矢印で示されている方向に閉じられているため、ブレード電極２６および接地パッド６６は開放されている。
【０１０４】
図２６Ｂは、起動回路３００の起動ボタン３０２が第２のスイッチ状態３１２に動かされた状態の、双極構成１００にある図２６Ａの電気手術デバイス２を示す。第２のスイッチ状態３１２は、信号が起動回路３００からジェネレータ８のポート１６０を通って通過し、内部スイッチング部および／またはＣＰＵ７４と通信するように、回路を完成する。内部スイッチング部および／またはＣＰＵ７４は、電圧源６４から電力コネクタ５２を通して、方向３２０のように閉じたスイッチ６０を通して、ハンドピース１２０へと電力の供給を開始し、両動作アーム６に電力が供給されて、電力６８が動作アーム６間で流れる。
【０１０５】
図２６Ｃは、単極構成１０２が形成されるように動作アーム６の対間の進出位置にあるブレード電極２６を示す。ブレード電極２６が進出された場合、スイッチ６０は第１の動作アーム６および第２の動作アーム６からブレード電極２６および接地パッド６６それぞれへ動かされ、図示の通り起動ボタン３０２が第２のスイッチ状態３１２にある場合にブレード電極２６に電力が供給される。電力が電力コネクタからスイッチ６０を通って方向３２０のように送られ、次いでブレード電極２６および接地パッド６６それぞれへ送られる。電力６８がブレード電極２６と接地パッド６６との間に流れる。
【０１０６】
図２７Ａから図２７Ｄまでは、複数のポート１６０によりジェネレータに接続されている起動回路３００と、複数のピン１５２によりジェネレータ８に接続されているハンドピース１２０とを備えた電気手術デバイス２を示す。起動回路３００は、押し下げられるとハンドピース１２０に電力を供給する起動ボタン４０、４２を含む。図２７Ａは、双極起動ボタン４０および単極起動ボタン４２の両方を備えた起動回路３００を示し、これらのボタン４０，４２の図示された状態は、第１のスイッチ状態３１０にあり、開状態６２であり、電気手術デバイス２がオフである。起動回路３００は、上ポート１６０Ａ、中間ポート１６０Ｂ、および下ポート１６０Ｃを介してジェネレータ８と接続している３つの電気路（すなわち電線）を有する。ポート１６０は、起動回路３００を、信号を受信するとハンドピース１２０に電力を供給している電源６４と通信する内部スイッチング部および／またはＣＰＵ７４と接続する。電源６４は、図示の通り中立位置５８にある一連のスイッチ６０により電力を方向付ける。スイッチ６０は複数のピン１５２により電力を方向付ける。複数のピンは、ハンドピース１２０が単極構成と双極構成との間でスイッチングされた場合にハンドピース１２０の１つ以上の部分に電力を供給する双極陽極のピン１５２Ａ、双極陰極のピン１５２Ｂ、単極アクティブピン１５２Ｃ、および単極リターンピン１５２Ｄである。図示の通り、ブレード電極２６は、絶縁体ハウジング９６の内部に格納され、入れ子にされている。
【０１０７】
図２７Ｂは、ブレード電極２６へおよび／またはそこから漏洩電流が流れないように絶縁体ハウジング９６の内部に格納され配置されているブレード電極２６と、信号が生成され、信号が通ってジェネレータ８内へ、最終的には内部スイッチング部および／またはＣＰＵ７４へ移動するように上ポート１６０Ａおよび下ポート１６０Ｃを備えて回路が完成されるように、第２のスイッチ状態３１２にある双極起動ボタン４０と、を備えた、双極構成１００にある図２７Ａの電気手術デバイス２を示す。単極起動ボタン４２は第１のスイッチ状態３１０にあり、開状態６２にある。内部スイッチング部および／またはＣＰＵ７４が電源６４を起動すると、電力が上部スイッチ６０および双極陽極のピン５２Ａを通って流れ、第１の動作アーム６に、方向３２０のように流れる電流により電力が供給される。電力は底部スイッチ６０を通って流れ、双極陰極のピン１５２Ｂから出て、第２の動作アームは方向３２０に沿って流れる電力を受ける。電力６８は、次いで動作アーム６の対間に流れる。図示の通り、接地パッド６６およびブレード電極２６は電気的に遮断されている。
【０１０８】
図２７Ｃは、絶縁体ハウジング９６から外へかつ動作アーム６間に進出しているブレード電極２６と、ブレード電極２６から接地パッド６６へ流れている電力６８とを示す。起動回路３００は第２のスイッチ状態３１２にある双極起動ボタン４０を含み、上ポート１６０Ａと下ポート１６０Ｃとを備えた完全な回路が形成されて、信号がジェネレータ８の内部スイッチング部および／またはＣＰＵ７４へ送信される。単極起動ボタン４２は第１のスイッチ状態３１０にあり、単極起動ボタン４２から信号が送信されないように開いている。内部スイッチング部および／またはＣＰＵ７４は電圧源６４と通信し、電力が経路３２０に沿ってブレード電極２６および接地パッド６６それぞれに方向付けられる。スイッチ６０は、電力が電圧源６４から双極陽極のピン１５２Ａおよび双極陰極のピン１５２Ｂを通って流れるように構成され、ブレード電極２６と接地パッド６６との間を流れる電力６８が第１の治療電流ある。
【０１０９】
図２７Ｄは、絶縁体ハウジング９６から外へかつ動作アーム６間に進出しているブレード電極２６と、ブレード電極２６から接地パッド６６へ流れている電力６８とを示す。中間ポート１６０Ｂおよび下ポート１６０Ｃを備えた完全な回路が形成されるように、起動回路３００は、第１のスイッチ状態３１０にありかつ開状態６２にある双極起動ボタン４０と、第２のスイッチ状態３１２にある単極起動ボタン４２とを含む。信号が中間ポート１６０Ｂおよび下ポート１６０Ｃを通って、電圧源６４と通信している内部スイッチング部および／またはＣＰＵ７４へ送信され、電圧がスイッチ６０を通って方向３２０のように、単極アクティブピン１５２Ｃを通ってブレード電極２６へ、また単極リターンピン１５２Ｄを通って接地パッド６６へ供給される。ブレード電極２６と接地パッド６６との間に流れる電流６８は、第１の治療電流とは異なる第２の治療電流である。図２８Ａから図２８Ｃまでは、複数のポート１６０によりジェネレータに接続されている起動回路３００と、複数のピン１５２によりジェネレータ８に接続されているハンドピース１２０と、を備えた電気手術デバイス２を示す。起動回路３００は、押し下げられるとハンドピース１２０に電力を供給する起動ボタン３０２と、起動回路３００からジェネレータ８へ送信される信号を変更するセレクタ３０８とを含む。図２８Ａは、電気手術デバイス２がオフであるように、第１のスイッチ状態３１０にありかつ開状態６２にある起動ボタン３０２を備えた起動回路３００を示す。起動回路３００は、上ポート１６０Ａ、中間ポート１６０Ｂ、および下ポート１６０Ｃを介してジェネレータ８と接続する３つの電気路（すなわち電線）を有する。ポート１６０は起動回路３００を、信号を受信するとハンドピース１２０に電力を供給している電源６４と通信する内部スイッチング部および／またはＣＰＵ７４と接続する。電源６４は、図示の通り中立位置５８にある一連のスイッチ６０により電力を方向付ける。スイッチ６０は複数のピン１５２により電力を方向付ける。複数のピンは、ハンドピース１２０が単極構成と双極構成との間でスイッチングされた場合にハンドピース１２０の１つ以上の部分に電力を供給する、双極陽極のピン１５２Ａ、双極陰極のピン１５２Ｂ、単極アクティブピン１５２Ｃ、および単極リターンピン１５２Ｄである。
【０１１０】
図２８Ｂは、第２のスイッチ状態３１２にある起動ボタン３０２と第１の位置にあるセレクタ３０８とを示し、このとき信号は上ポート１６０Ａおよび中間ポート１６０Ｂを通ってジェネレータ８ならびに内部スイッチング部および／またはＣＰＵ７４へ流れる。内部スイッチング部および／またはＣＰＵ７４は電圧源６４と通信し、電圧が方向３２０のように流れる。スイッチ６０は双極陽極のピン１５２Ａにより第１の動作アーム６へと、双極陰極のピン１５２Ｂにより第２の動作アーム６へと、電圧を方向付ける。電力６８は第１の動作アーム６と第２の動作アーム６との間に流れる。
【０１１１】
図２８Ｃは、第２のスイッチ状態３１２にある起動ボタン３０２と、第２の位置にあるセレクタ３０８とを示し、このとき信号は上ポート１６０Ａおよび下ポート１６０Ｃを通ってジェネレータ８ならびに内部スイッチング部および／またはＣＰＵ７４へ流れる。内部スイッチング部および／またはＣＰＵ７４は電圧源６４と通信し、電圧が方向３２０に流れる。スイッチ６０は、単極アクティブピン１５２Ｃによりブレード電極２６へ、単極リターンピン１５２Ｄにより接地パッド６６へ、電圧を方向付ける。電力６８はブレード電極２６と接地パッド６６との間に流れる。
【０１１２】
図２９Ａから図２９Ｃまでは、ハンドピース１２０のシャトル２０と、シャトル２０の移動により生じる関連する構成との要部構成図を示す。ハンドピース１２０は、スイッチを通って方向３２０に流れる、電圧源６４からの電圧を供給するジェネレータ８に接続されている。電力は、双極陽極のピン１５２Ａおよび双極陰極のピン１５２Ｂからジェネレータ８を出て、ハンドピース１２０へと入る。シャトル２０は格納されており、電力が双極陽極のピン１５２Ａから点Ｂおよび点Ｆにおいてハンドピース１２０の電気コネクタ７２へと流れかつ点Ｅおよび点Ａにおいて出て、第１の動作アームに電力が供給される。同様に、電力が双極陰極のピン１５２Ｂを通って点Ｄおよび点Ｈにおいて電気コネクタ７２へと流れかつ点Ｇおよび点Ｃにおいて出て、第２の動作アームに電力が供給される。電力６８は動作アーム６間に流れ、治療電流が生成される。図示の通り、点Ｅと点Ｉとの間のおよび点Ｊと点Ｋとの間の電気コネクタ７２は開いている。
【０１１３】
図２９Ｂは、本明細書において検討されている通り、動作アームの端部Ａおよび端部Ｃが任意の電気コネクタ７２と揃わずかつブレード電極２６の電線と接地パッド６６の電線とが揃えられるように、動作アーム６間に進出しているブレード電極２６を示す。電力が電圧源６４から接地パッド６６へ方向３２０のように流れる。接地パッド６６は点Ｌおよび点Ｋにおいて接続されており、コネクタは点Ｊおよび点Ｄにおいてシャトルを出て、双極陰極のピン１５２Ｂにおいてジェネレータ内に入る。電力は、双極陽極のピン１５２Ａを通る経路に沿って方向３２０のように電圧源６４からブレード電極２６へ流れ、次いで点Ｂおよび点Ｉにおいて電気コネクタ７２へと流れ、最後にブレード電極２６と接地パッド６６との間で流れる。
【０１１４】
図２９Ｃは、ブレード電極２６および接地パッド６６に電力を供給する別の方法を示す。接地パッド６６および電圧源６４は単極リターンピン１５２Ｄを介して接続されており、そこでは電力はシャトル２０を通過せず、方向３２０のように通る。ブレード電極２６は単極アクティブピン１５２Ｃを介して電力を供給され、そこでは電力は、点Ｂおよび点Ｉにおいてシャトル２０を通り、次いでブレード電極２６の先端へ流れ、そこで電力６８はブレード電極２６と接地パッド６６との間に流れる。
【０１１５】
図３０Ａおよび図３０Ｂは、本明細書において教示されている通り、ハンドピース１２０に電力を供給するのに使用され得る可能性がある２つの配線概略図を示す。図３０Ａは４プロングコネクタの例を示す。図示の通り、接地パッド６６は、点Ｗにおいてプラグに直接接続されており、点Ｊおよび点ＫにおいてシャトルＴおよび電気コネクタを通って、点Ｒにおいてプラグに間接的に接続されている。第１の動作アーム６は、点Ｅおよび点Ｆにおいて電気コネクタを通って、点Ｎにおいてプラグに接続されている。電力もまたシャトル２０の電気コネクタ７２の点Ｅおよび点Ｆを通過することができるように、第１の動作アーム６は、点Ｍと点Ｎとの間の接続部を通って、点Ｕにおいてプラグに間接的に接続されている。第２の動作アーム６は、点Ｇおよび点Ｈを通って接続する場合に、点Ｒにおいてプラグに直接接続されている。
【０１１６】
図３０Ｂは３プロングコネクタの例を示す。接地パッド６６は点Ｗにおいてプラグに直接接続されている。点Ｕにおけるプラグは、点Ｅおよび点Ｆを通って第１の動作アーム６に直接接続されている。また、点Ｕにおけるプラグは、点Ｉにおいて延長されるとブレード電極２６に直接接続する。点Ｎにおけるプラグは、点Ｅおよび点Ｆにおいて第１の動作アームに接続されている。点Ｒにおけるプラグは、点Ｇおよび点Ｈを通って第２の動作アームに接続されている。
【０１１７】
本明細書に記載されている任意の数値が、任意の低値と任意の高値との間に少なくとも２単位の間隔がある場合、１単位ずつの低値から上限値までの全ての値を含む。例として、例えば温度、圧力、時間等の成分の量またはプロセス変数の値が例えば１から９０まで、好ましくは２０から８０まで、より好ましくは３０から７０までであることが明言されている場合、１５から８５まで、２２から６８まで、４３から５１まで、３０から３２まで等の値が本明細書では明示的に列挙されることが意図されている。１未満の値では、必要に応じて１単位が０．０００１、０．００１、０．０１または０．１であると考えられる。これらは、具体的に意図されている例に過ぎず、列挙されている最低値と最高値との間の数値の全ての可能性がある組合せが、同様の方法で本明細書に明言されると考えられる。
【０１１８】
特に明記されていない限り、全ての範囲は両端点および当該端点間の全ての数字を含む。範囲に関連する「約」または「略」の使用は、範囲の両端に適用される。したがって、「約２０から３０まで」は、少なくとも明記されている端点を含めて「約２０から約３０まで」を包含することが意図されている。
【０１１９】
特許出願および特許公報を含む全ての記事および参考文献の開示は、事実上本願に引用して援用する。組合せを記載する用語「本質的に〜からなる」は、確認されている要素、成分、構成要素、またはステップ、ならびに組合せの基本的特性および新規の特性に実質的に影響を及ぼさないそのような他の要素、成分、構成要素、またはステップを含むものとする。また、本明細書における要素、成分、構成要素、またはステップの組合せを記載する用語「ｃｏｍｐｒｉｓｉｎｇ（含む）」または「ｉｎｃｌｕｄｉｎｇ（含む）」の使用は、本質的に当該要素、成分、構成要素、またはステップからなる実施形態を意図する。本明細書における用語「ｍａｙ」の使用により、含まれる「可能性がある」任意の記載されている属性が随意的であることが意図されている。
【０１２０】
複数の要素、成分、構成要素、またはステップが、単一の統合された要素、成分、構成要素、またはステップにより設けられることが可能である。あるいは、単一の統合された要素、成分、構成要素、またはステップが、別個の複数の要素、成分、構成要素、またはステップに分割される可能性があると考えられる。要素、成分、構成要素、またはステップを記載する「ａ」または「ｏｎｅ」の開示は、追加の要素、成分、構成要素、またはステップを除外するものではない。
【０１２１】
当然のことながら、上記記載は例示的であり、制限的でないことが意図されている。上記記載を読むと、与えられている例に加えて多数の実施形態および多数の応用が当業者に明らかになるであろう。したがって、教示の範囲は、上記記載に関して決定されるべきではなく、代わりに、そのような特許請求の範囲が権利を与えられている同等物の全範囲と共に、添付の特許請求の範囲に関して決定されるべきである。特許出願および特許公報を含む全ての記事および参考文献の開示は、事実上本願に引用して援用する。本明細書に開示されている主題の任意の態様に関する以下の特許請求の範囲における省略は、そのような主題の放棄ではなく、発明者らがそのような主題を開示された発明の主題の一部であると考えないと見なされるべきではない。
【図１】
0006440677.tif 000002
【図２Ａ】
0006440677.tif 000003
【図２Ｂ】
0006440677.tif 000004
【図２Ｃ】
0006440677.tif 000005
【図２Ｄ１】
0006440677.tif 000006
【図２Ｄ２】
0006440677.tif 000007
【図３Ａ】
0006440677.tif 000008
【図３Ｂ】
0006440677.tif 000009
【図４】
0006440677.tif 000010
【図５】
0006440677.tif 000011
【図６】
0006440677.tif 000012
【図７】
0006440677.tif 000013
【図８】
0006440677.tif 000014
【図９】
0006440677.tif 000015
【図１０】
0006440677.tif 000016
【図１１】
0006440677.tif 000017
【図１２】
0006440677.tif 000018
【図１３】
0006440677.tif 000019
【図１４】
0006440677.tif 000020
【図１５】
0006440677.tif 000021
【図１６】
0006440677.tif 000022
【図１７】
0006440677.tif 000023
【図１８Ａ】
0006440677.tif 000024
【図１８Ｂ】
0006440677.tif 000025
【図１９Ａ】
0006440677.tif 000026
【図１９Ｂ】
0006440677.tif 000027
【図２０Ａ１】
0006440677.tif 000028
【図２０Ａ２】
0006440677.tif 000029
【図２０Ａ３】
0006440677.tif 000030
【図２０Ｂ】
0006440677.tif 000031
【図２０Ｃ】
0006440677.tif 000032
【図２０Ｄ】
0006440677.tif 000033
【図２１】
0006440677.tif 000034
【図２２Ａ】
0006440677.tif 000035
【図２２Ｂ】
0006440677.tif 000036
【図２２Ｃ】
0006440677.tif 000037
【図２３Ａ】
0006440677.tif 000038
【図２３Ｂ】
0006440677.tif 000039
【図２３Ｃ】
0006440677.tif 000040
【図２４Ａ】
0006440677.tif 000041
【図２４Ｂ】
0006440677.tif 000042
【図２４Ｃ】
0006440677.tif 000043
【図２５Ａ】
0006440677.tif 000044
【図２５Ｂ】
0006440677.tif 000045
【図２５Ｃ】
0006440677.tif 000046
【図２６Ａ】
0006440677.tif 000047
【図２６Ｂ】
0006440677.tif 000048
【図２６Ｃ】
0006440677.tif 000049
【図２７Ａ】
0006440677.tif 000050
【図２７Ｂ】
0006440677.tif 000051
【図２７Ｃ】
0006440677.tif 000052
【図２７Ｄ】
0006440677.tif 000053
【図２８Ａ】
0006440677.tif 000054
【図２８Ｂ】
0006440677.tif 000055
【図２８Ｃ】
0006440677.tif 000056
【図２９Ａ】
0006440677.tif 000057
【図２９Ｂ】
0006440677.tif 000058
【図２９Ｃ】
0006440677.tif 000059
【図３０Ａ】
0006440677.tif 000060
【図３０Ｂ】
0006440677.tif 000061